(57)【要約】      （修正有）【課題】ＣＣＡがクリアしていない、および／またはＵＬサブフレームが利用不可能である場合でも、ＨＡＲＱフィードバックおよび／またはＣＳＩの通信が可能となる方法を提供する。【解決手段】ＤＬデータのグループに関係する複数のＡＣＫ／ＮＡＣＫおよび／またはＣＳＩは、ＤＣＩトリガ４１４がｅＮＢ４０４から受信されるまで、ＵＥ４０８においてＧＡＣＫとしてバッファリングされれ、ＤＣＩトリガが受信されるとＣＳＩおよび／またはＧＡＣＫを送信する。ＵＥは、ＤＣＩトリガについて１つまたは複数のサブフレームを監視し、ＤＣＩトリガを受信すると後続のサブフレームを使用してＵＣＩを送信する。【選択図】図４
2019146182.tif 000002
【特許請求の範囲】
【請求項１】
ユーザ機器（ＵＥ）のワイヤレス通信の方法であって、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を備える、方法。
【請求項２】
前記ＤＣＩトリガは、物理アップリンク共有チャネル（ＰＵＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
請求項１に記載の方法。
【請求項３】
前記ＤＣＩトリガは、物理アップリンク共有チャネル（ＰＵＳＣＨ）グラントにおいて受信され、
前記ＵＣＩを前記送信することは、前記後続のサブフレーム中でＰＵＳＣＨ中に前記ＵＣＩを含めることを備える、
請求項１に記載の方法。
【請求項４】
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項１に記載の方法。
【請求項５】
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項１に記載の方法。
【請求項６】
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中でＰＵＳＣＨ中に前記ＵＣＩを含めることを備える、
請求項１に記載の方法。
【請求項７】
前記ＤＣＩトリガは、前記ＵＥグループ中の複数のＵＥのインデックスを含むＵＥグループグラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
請求項１に記載の方法。
【請求項８】
前記ＤＣＩトリガは、前記ＵＥグループ中の複数のＵＥのインデックスを含むＵＥグループグラントにおいて受信され、前記方法は、
前記ＤＣＩトリガを復号することによって、やはり前記ＤＣＩトリガを受信した前記グループ中の先行するＵＥの数を決定することと、
やはり前記ＤＣＩトリガを受信した前記グループ中の先行するＵＥの前記数および前記インデックスでの位置に基づいて、前記ＵＣＩを送信すべき前記後続のサブフレーム中の特定のリソースを決定することと、
をさらに備える、請求項１に記載の方法。
【請求項９】
物理アップリンク共有チャネル（ＰＵＳＣＨ）グラントを受信することをさらに備え、
前記ＤＣＩトリガは、前記ＵＥグループ中の複数のＵＥのインデックスを含むＵＥグループグラントにおいて受信され、
前記ＵＣＩを前記送信することは、前記後続のサブフレーム中でＰＵＣＣＨまたはＰＵＳＣＨ中に前記ＵＣＩを含めることを備える、
請求項１に記載の方法。
【請求項１０】
前記ＤＣＩトリガは、前記ＵＥグループ中の複数のＵＥのインデックスを含むＵＥグループグラントにおいて受信され、
前記ＵＣＩを前記送信することは、ＰＵＳＣＨグラントを受信することなしに前記後続のサブフレーム中でＰＵＳＣＨ中に前記ＵＣＩを含めることを備える、
請求項１に記載の方法。
【請求項１１】
基地局のワイヤレス通信の方法であって、
ダウンリンク制御情報（ＤＣＩ）トリガを含むように１つまたは複数のサブフレームを設定することと、
前記１つまたは複数のサブフレーム中で前記ＤＣＩトリガを送信することと、
後続のサブフレーム中でアップリンク制御情報（ＵＣＩ）を受信することと、
を備える、方法。
【請求項１２】
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
請求項１１に記載の方法。
【請求項１３】
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
請求項１１に記載の方法。
【請求項１４】
前記ＤＣＩトリガを前記送信することは、物理ダウンリンク共有チャネル（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項１１に記載の方法。
【請求項１５】
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項１１に記載の方法。
【請求項１６】
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
請求項１１に記載の方法。
【請求項１７】
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
請求項１１に記載の方法。
【請求項１８】
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中の特定のリソースにおいて前記ＵＣＩを受信することを備え、
前記特定のリソースは、やはり前記ＤＣＩトリガを受信した前記グループ中の先行するＵＥの数および前記グループ中のＵＥの前記インデックスによって設定される、
請求項１１に記載の方法。
【請求項１９】
物理アップリンク共有チャネル（ＰＵＳＣＨ）グラントを送信することをさらに備え、
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中でＰＵＳＣＨにおいて前記ＵＣＩを受信することを備える、
請求項１１に記載の方法。
【請求項２０】
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、ＰＵＳＣＨグラントを送信することなしにＰＵＳＣＨにおいて前記ＵＣＩを受信することを備える、
請求項１１に記載の方法。
【請求項２１】
ワイヤレス通信のための装置であって、
メモリと、
前記メモリに結合された少なくとも１つのプロセッサと、を備え、前記少なくとも１つのプロセッサは、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を行うように構成される、
装置。
【請求項２２】
前記ＤＣＩトリガは、物理アップリンク共有チャネル（ＰＵＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
請求項２１に記載の装置。
【請求項２３】
前記ＤＣＩトリガは、物理アップリンク共有チャネル（ＰＵＳＣＨ）グラントにおいて受信され、
前記少なくとも１つのプロセッサは、前記後続のサブフレーム中でＰＵＳＣＨ中に前記ＵＣＩを含めることによって前記ＵＣＩを送信するように構成される、
請求項２１に記載の装置。
【請求項２４】
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項２１に記載の装置。
【請求項２５】
少なくとも１つのプロセッサは、物理アップリンク共有チャネル（ＰＵＳＣＨ）グラントを受信するようにさらに構成され、
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
請求項２１に記載の装置。
【請求項２６】
ワイヤレス通信のための装置であって、
メモリと、
前記メモリに結合された少なくとも１つのプロセッサと、を備え、前記少なくとも１つのプロセッサは、
ダウンリンク制御情報（ＤＣＩ）トリガを含むように１つまたは複数のサブフレームを設定することと、
前記１つまたは複数のサブフレーム中で前記ＤＣＩトリガを送信することと、
後続のサブフレーム中でアップリンク制御情報（ＵＣＩ）を受信することと、
を行うように構成される、
装置。
【請求項２７】
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
請求項２６に記載の装置。
【請求項２８】
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中でＰＵＳＣＨにおいて前記ＵＣＩを受信することによって前記ＵＣＩを受信するように構成される、
請求項２６に記載の装置。
【請求項２９】
前記少なくとも１つのプロセッサは、物理ダウンリンク共有チャネル（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項２６に記載の装置。
【請求項３０】
前記少なくとも１つのプロセッサは、物理アップリンク共有チャネル（ＰＵＳＣＨ）グラントを送信するようにさらに構成され、
前記少なくとも１つのプロセッサは、物理ダウンリンク共有チャネルグラント（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
請求項２６に記載の装置。
【発明の詳細な説明】
【関連出願の相互参照】
【０００１】
[0001]本出願は、２０１５年１月２７日付で出願された、「TRIGGERING A GROUP ACKNOWLEDGEMENT / NEGATIVE ACKNOWLEDGEMENT (GACK) OR CHANNEL STATE INFORMATION (CSI)」という題名の米国仮出願番号第６２／１０８，５０５号、および２０１６年１月５日付で出願された、「TRIGGERING A GROUP ACKNOWLEDGEMENT/NEGATIVE ACKNOWLEDGEMENT OR CHANNEL STATE INFORMATION」という題名の米国特許出願第１４／９８８，５２９号の利益を主張し、これらが全体として本明細書に参照によって明示的に組み込まれる。
【技術分野】
【０００２】
[0002]本開示は概して、通信システムに関し、より具体的には、複数のダウンリンクサブフレーム中で送られた複数のデータ送信に関するアクノレッジメント／ネガティブアクノレッジメントをトリガリングすることに関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソースを共有することによって複数のユーザとの通信をサポートする能力を有する多元接続技術を採用し得る。こうした多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが市区町村、国、地域、さらにはグローバルレベルで通信することを可能とする共通のプロトコルを提供するために、様々な電気通信規格において導入されてきた。例示的な電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格に対する強化版（enhancement）のセットである。ＬＴＥは、ダウンリンク上でのＯＦＤＭＡ、アップリンク上でのＳＣ−ＦＤＭＡ、および多入力多出力（ＭＩＭＯ）アンテナ技術を使用して、向上したスペクトル効率、低下したコスト、向上したサービスを通じたモバイルブロードバンドアクセスをサポートするように設計されている。しかしながら、モバイルブロードバンドアクセスを求める需要が高まり続けるのに伴い、ＬＴＥ技術にはさらなる改善の必要が存在する。これらの改善はまた、これらの技術を採用する他の多元接続技術および電気通信規格に適用可能であり得る。
【０００５】
[0005]ライセンススペクトル（たとえば、ＬＴＥ−Ａ）、またはアンライセンススペクトル（たとえば、ＬＴＥ−Ｕ）におけるリッスンビフォアトーク（ＬＢＴ：listen-before-talk）フレームのどちらかを使用するアドバンスト通信では、ダウンリンク（ＤＬ）ハイブリッド自動再送要求（ＨＡＲＱ）フィードバックが、所定のアップリンク（ＵＬ）サブフレーム中でユーザ機器（ＵＥ）から進化型ノードＢ（ｅＮＢ）に送信され得る。加えて、ＵＥは、周期的または非周期的のどちらかのレポートにおいてｅＮＢにチャネル状態情報（ＣＳＩ）を送り得る。しかしながら、この手法でＨＡＲＱフィードバックおよび／またはＣＳＩを送信することは、時に信頼性に欠くことがある。
【発明の概要】
【０００６】
[0006]以下は、１つまたは複数の態様の簡略化された概要を、こうした態様の基本的な理解を提供するために提示する。この概要は、全ての考えられる態様の広範囲にわたる概観ではなく、また全ての態様のキーとなるもしくは決定的な要素を特定することも、いずれかのもしくは全ての態様の範囲を詳細に記述することもしないように意図されている。その唯一の目的は、後に提示されるより詳細な説明への前置きとして簡略化された形態で１つまたは複数の態様のいくつかの概念を提示することである。
【０００７】
[0007]ライセンススペクトル、またはアンライセンススペクトルにおけるＬＢＴフレームのどちらかにおけるアドバンスト通信では、ＤＬ  ＨＡＲＱフィードバックが、所定のＵＬサブフレーム中でＵＥからｅＮＢに送信され得る。加えて、ＵＥは、周期的または非周期的のどちらかのレポートにおいてｅＮＢにＣＳＩを送り得る。しかしながら、この手法でＨＡＲＱフィードバックおよび／またはＣＳＩを送信することは、たとえば、クリアチャネル評価（ＣＣＡ）がクリアしない（a clear channel assessment (CCA) does not clear）か、またはＵＬサブフレームが利用可能でない場合には信頼性がないことがある。
【０００８】
[0008]たとえば、ライセンススペクトルを使用すると、ＤＬサブフレームｎ中でのデータ送信に関するＨＡＲＱフィードバックが、ＵＬサブフレームｎ＋４中で実行され得る。しかしながら、ＵＬ送信がＵＬサブフレームｎ＋４中で可能でない場合、ＨＡＲＱフィードバックは失われ得る。同じことが、周期的ＣＳＩフィードバック（たとえば、あらゆる無線フレームトリガフィードバックにおけるサブフレーム５（subframe 5 in every radio frame triggers feedback））に関しても生じる。たとえば、ＣＳＩフィードバックが２０ｍｓごとに送信されるようにライセンススペクトルにおいて設定される場合、２０ｍｓごとにＣＳＩフィードバックのために設定されたアップリンクサブフレームが存在する必要があり得る。しかしながら、アンライセンススペクトルでは、ＬＢＴフレームが均一に離隔される必要がないことがあるので、このことは当てはまらない場合があり得る。たとえば、アンライセンススペクトルでは、サブフレームｎはＵＬサブフレームであり得、サブフレームｎ＋２０はＤＬサブフレームであり得る。
【０００９】
[0009]本開示では、ＤＬデータ送信のグループに関係する複数のＡＣＫ／ＮＡＣＫおよび／またはＣＳＩは、ＤＣＩトリガがｅＮＢから受信されるまで、ＵＥにおいてＧＡＣＫとしてバッファリングされ得る。トリガが受信されたら、ＵＥは、ｅＮＢにＣＳＩおよび／またはＧＡＣＫを送信し得る。このように、ＨＡＲＱフィードバックおよび／またはＣＳＩは、ＣＣＡがクリアしない、および／または特定のＵＬサブフレームが利用可能でない場合でさえ、信頼性高く通信され得る。
【００１０】
[0010]本開示の態様では、方法、コンピュータ可読媒体、および装置が提供される。装置はＵＥであり得る。ＵＥは、ＤＣＩトリガについて１つまたは複数のサブフレームを監視する。ＵＥは、あるサブフレーム中でＤＣＩトリガを受信し、後続のサブフレームを使用してＵＣＩを送信する。
【００１１】
[0011]本開示の別の態様では、方法、コンピュータプログラム製品、および装置が提供される。装置は基地局であり得る。この態様では、基地局は、ＤＣＩトリガを含むように１つまたは複数のサブフレームを設定する。基地局は、１つまたは複数のサブフレーム中でＤＣＩトリガを送信する。その後、基地局は、後続のサブフレーム中でＵＣＩを受信する。
【００１２】
[0012]先述のおよび関連する目的の達成に向けて、１つまたは複数の態様は、以下で十分に説明され、請求項において具体的に指摘される特徴を備える。以下の説明および添付の図面は、１つまたは複数の態様のある特定の例示的な特徴を詳細に述べる。しかしながらこれらの特徴は、様々な態様の原理が採用され得る様々な方法のうちのほんのいくつかの例を示すにすぎず、本説明は、そのような態様およびそれらの均等物すべてを含むことが意図されている。
【図面の簡単な説明】
【００１３】
【図１】ワイヤレス通信システムおよびアクセスネットワークの例を例示する図である。
【図２Ａ】ＤＬフレーム構造のＬＴＥの例を例示する図である。
【図２Ｂ】ＤＬフレーム構造内のＤＬチャネルのＬＴＥの例を例示する図である。
【図２Ｃ】ＵＬフレーム構造のＬＴＥの例を例示する図である。
【図２Ｄ】ＵＬフレーム構造内のＵＬチャネルのＬＴＥの例を例示する図である。
【図３】アクセスネットワークにおけるｅＮＢおよびＵＥの例を例示する図である。
【図４】ＧＡＣＫ、ＣＳＩ、および／またはＵＣＩをトリガリングすることに関連付けられた例示的な態様を例示するための図である。
【図５】様々な態様にしたがった、ワイヤレス通信の方法のフローチャートである。
【図６Ａ】ある態様にしたがった、ワイヤレス通信の方法のフローチャートである。
【図６Ｂ】別の態様にしたがった、ワイヤレス通信の方法のフローチャートである。
【図６Ｃ】さらに別の態様にしたがった、ワイヤレス通信の方法のフローチャートである。
【図７】様々な態様にしたがった、ワイヤレス通信の方法のフローチャートである。
【図８Ａ】ある態様にしたがった、ワイヤレス通信の方法のフローチャートである。
【図８Ｂ】別の態様にしたがった、ワイヤレス通信の方法のフローチャートである。
【図８Ｃ】さらに別の態様にしたがった、ワイヤレス通信の方法のフローチャートである。
【図９】例示的な装置における異なる手段／コンポーネント間のデータフローを例示する概念上のデータフロー図である。
【図１０】処理システムを採用する装置のためのハードウェアインプリメンテーションの例を例示する図である。
【図１１】例示的な装置における異なる手段／コンポーネント間のデータフローを例示する概念上のデータフロー図である。
【図１２】処理システムを採用する装置のためのハードウェアインプリメンテーションの例を例示する図である。
【詳細な説明】
【００１４】
[0025]添付の図面に関係して以下で述べられる詳細な説明は、様々な構成の説明として意図されており、本明細書で説明される概念が実施され得る唯一の構成を表すことを意図したものではない。詳細な説明は、様々な概念の徹底的な理解を提供する目的で具体的な詳細を含む。しかしながら、これらの概念がこれらの具体的な詳細なく実施され得ることは、当業者には明らかであろう。いくつかの事例では、こうした概念を曖昧にすることを避けるために、周知の構造およびコンポーネントがブロック図の形態で図示される。
【００１５】
[0026]電気通信システムのいくつかの態様を、以下で、様々な装置および方法を参照して提示する。これらの装置および方法は、様々なブロック、コンポーネント、回路、プロセス、アルゴリズム等（集合的に、「要素」と呼ばれる）によって、以下の詳細な説明において説明され、添付の図面において例示されることになる。これらの要素は、電子ハードウェア、コンピュータソフトウェア、またはそれらの任意の組合せを使用してインプリメントされ得る。こうした要素がハードウェアとしてインプリメントされるかソフトウェアとしてインプリメントされるかは、システム全体に課された設計の制約および具体的なアプリケーションに依存する。
【００１６】
[0027]例として、要素、または要素のうちの任意の一部分、または要素の任意の組合せは、１つまたは複数のプロセッサを含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理回路、ディスクリートハードウェア回路、および本開示全体を通して説明される様々な機能を実行するように構成された他の適したハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、または別の形のいずれで呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味するように広く解釈されることとする。
【００１７】
[0028]したがって、１つまたは複数の例示的な実施形態では、説明される機能は、ハードウェア、ソフトウェア、またはこれらの任意の組合せでインプリメントされ得る。ソフトウェアでインプリメントされる場合、機能は、コンピュータ可読媒体上に、１つまたは複数の命令またはコードとして記憶されまたはエンコードされ得る。コンピュータ可読媒体はコンピュータ記憶媒体を含む。記憶媒体は、コンピュータによってアクセスされ得るいずれの利用可能な媒体でもあり得る。限定ではなく例として、こうしたコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光学ディスクストレージ、磁気ディスクストレージ、他の磁気記憶デバイス、上述のタイプのコンピュータ可読媒体の組合せ、あるいはコンピュータによってアクセスされ得るデータ構造または命令の形態でコンピュータ実行可能コードを記憶するために使用され得る任意の他の媒体を備え得る。
【００１８】
[0029]図１は、ワイヤレス通信システムおよびアクセスネットワーク１００の例を例示する図である。ワイヤレス通信システム（ワイヤレスワイドエリアネットワーク（ＷＷＡＮ）とも呼ばれる）は、基地局１０２、ＵＥ１０４、および進化型パケットコア網（ＥＰＣ）１６０を含む。基地局１０２は、マクロセル（高出力（high power）セルラ基地局）および／またはスモールセル（低出力（low power）セルラ基地局）を含み得る。マクロセルはｅＮＢを含む。スモールセルは、フェムトセル、ピコセル、およびミクロセルを含む。
【００１９】
[0030]基地局１０２（集合的に、進化型ユニバーサル移動体通信システム（ＵＭＴＳ：Universal Mobile Telecommunications System）地上無線アクセスネットワーク（Terrestrial Radio Access Network）（Ｅ−ＵＴＲＡＮ）と呼ばれる）は、バックホールリンク１３２（たとえば、Ｓ１インタフェース）を通じてＥＰＣ１６０とインタフェース接続する。他の機能に加えて、基地局１０２は、以下の機能：ユーザデータの転送、無線チャネル暗号化および暗号解読、インテグリティ保護、ヘッダ圧縮、モビリティ制御機能（たとえば、ハンドオーバ、デュアル接続）、セル間干渉協調、接続セットアップおよび解放（connection setup and release）、負荷平均化（load balancing）、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器のトレース、ＲＡＮ情報管理（ＲＩＭ）ページング、測位、および警告メッセージの配信、のうちの１つまたは複数を実行し得る。基地局１０２は、バックホールリンク１３４（たとえば、Ｘ２インタフェース）を介して互いと直接、または間接的に（ＥＰＣ１６０を通じて）通信し得る。バックホールリンク１３４は、有線またはワイヤレスであり得る。
【００２０】
[0031]基地局１０２は、ＵＥ１０４とワイヤレスに通信し得る。基地局１０２の各々は、それぞれの地理的カバレッジエリア１１０のための通信カバレッジを提供し得る。重複する地理的カバレッジエリア１１０が存在し得る。たとえば、スモールセル１０２’は、１つまたは複数のマクロ基地局１０２のカバレッジエリア１１０と重複するカバレッジエリア１１０’を有し得る。スモールセルとマクロセルとの両方を含むネットワークは、異種ネットワークとして知られ得る。異種ネットワークはまた、クローズド加入者グループ（ＣＳＧ）として知られる制限されたグループにサービスを提供し得る、ホーム進化型ノードＢ（ｅＮＢ）（ＨｅＮＢ）を含み得る。基地局１０２とＵＥ１０４との間の通信リンク１２０は、ＵＥ１０４から基地局１０２までのアップリンク（ＵＬ）（逆方向リンクとも呼ばれる）送信、および／または基地局１０２からＵＥ１０４までのダウンリンク（ＤＬ）（順方向リンクとも呼ばれる）送信を含み得る。通信リンク１２０は、空間多重化、ビームフォーミング、および／または送信ダイバーシチを含む、ＭＩＭＯアンテナ技術を使用し得る。通信リンクは、１つまたは複数のキャリアを通じたものであり得る。基地局１０２／ＵＥ１０４は、キャリアごとに最大ＹＭＨｚ（たとえば、５、１０、１５、２０ＭＨｚ）のスペクトルであって、各方向への送信のために使用される最大で合計ＹｘＭＨｚ（ｘ個のコンポーネントキャリア）のキャリアアグリゲーションにおいて割り振られるキャリアごとに最大ＹＭＨｚのスペクトル、を使用し得る。キャリアは、互いに隣接することも、または隣接しないこともある。キャリアの割り振りは、ＤＬおよびＵＬに関して非対称であり得る（たとえば、ＵＬよりもＤＬに、より多くのキャリアが割り振られ得る、またはより少ないキャリアが割り振られ得る）。コンポーネントキャリアは、プライマリコンポーネントキャリアと、１つまたは複数のセカンダリコンポーネントキャリアとを含み得る。プライマリコンポーネントキャリアは、プライマリセル（ＰＣｅｌｌ）と呼ばれ得、セカンダリコンポーネントキャリアは、セカンダリセル（ＳＣｅｌｌ）と呼ばれ得る。
【００２１】
[0032]ワイヤレス通信システムは、５ＧＨｚアンライセンス周波数スペクトルにおいて通信リンク１５４を介してＷｉ−Ｆｉ局（ＳＴＡ）１５２と通信するＷｉ−Ｆｉアクセスポイント（ＡＰ）１５０をさらに含み得る。アンライセンス周波数スペクトルにおいて通信するとき、ＳＴＡ１５２／ＡＰ１５０は、チャネルが利用可能であるかどうかを決定するために、通信する前にクリアチャネル評価（ＣＣＡ）を実行し得る。
【００２２】
[0033]スモールセル１０２’は、ライセンスおよび／またはアンライセンス周波数スペクトルにおいて動作し得る。アンライセンス周波数スペクトルにおいて動作するとき、スモールセル１０２’は、ＬＴＥを採用し得、Ｗｉ−Ｆｉ  ＡＰ１５０によって使用されるものと同じ５ＧＨｚアンライセンス周波数スペクトルを使用し得る。スモールセル１０２’は、アンライセンス周波数スペクトルにおいてＬＴＥを採用して、アクセスネットワークに対するカバレッジを拡大（boost）させ得る、および／またはアクセスネットワークの能力を高め得る。アンライセンススペクトルにおけるＬＴＥは、ＬＴＥアンライセンス（ＬＴＥ−Ｕ）、ライセンス支援アクセス（ＬＡＡ：licensed assisted access）、またはＭｕＬＴＥｆｉｒｅと呼ばれ得る。
【００２３】
[0034]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信し得る。ＭＭＥ１６２は、ＵＥ１０４とＥＰＣ１６０との間のシグナリングを処理する制御ノードである。一般に、ＭＭＥ１６２は、ベアラおよび接続管理を提供する。全てのユーザインターネットプロトコル（ＩＰ）パケットが、ＰＤＮゲートウェイ１７２にそれ自体が接続されているサービングゲートウェイ１６６を通じて転送される。ＰＤＮゲートウェイ１７２は、ＵＥ  ＩＰアドレス割り振りと、それに加えて他の機能を提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＳ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして役目をし、地上波公共移動通信ネットワーク（ＰＬＭＮ）内でＭＢＭＳベアラサービスを認証および開始するために使用され得、ＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され、セッション管理（開始／停止）およびｅＭＢＭＳ関連課金情報を集めることを担い得る。
【００２４】
[0035]基地局はまた、ノードＢ、進化型ノードＢ（ｅＮＢ）、アクセスポイント、基地トランシーバ局、無線基地局、無線トランシーバ、トランシーバ機能、ベーシックサービスセット（ＢＳＳ）、拡張サービスセット（ＥＳＳ）、または何らかの他の適した専門用語でも呼ばれ得る。基地局１０２は、ＵＥ１０４のためのＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（たとえば、ＭＰ３プレイヤ）、カメラ、ゲーム機、タブレット、スマートデバイス、ウェアラブルデバイス、または同様に機能する他の任意のデバイスを含む。ＵＥ１０４はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語でも呼ばれ得る。
【００２５】
[0036]図１を再び参照すると、ある特定の態様では、ＵＥ１０４は、トリガが受信されたときに（１９８）、基地局１０２に、ＧＡＣＫ、ＣＳＩ、および／またはＵＣＩを送信するように構成され得る。
【００２６】
[0037]図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続のタイムスロットを含み得る。リソースグリッドは、２つのタイムスロットを表すために使用され得、各タイムスロットは、１つまたは複数の時間コンカレント（time concurrent）なリソースブロック（ＲＢ）（物理ＲＢ（ＰＲＢ）とも呼ばれる）を含む。リソースグリッドは、複数のリソース要素（ＲＥ）に分割される。ＬＴＥにおいて通常のサイクリックプリフィックスでは、ＲＢは、周波数ドメインにおいて１２個の連続のサブキャリアを、時間ドメインにおいて７つの連続のシンボルを（ＤＬではＯＦＤＭシンボルを、ＵＬではＳＣ−ＦＤＭＡを）含み、合計８４個のリソース要素になる。拡張されたサイクリックプリフィックスでは、ＲＢは、周波数ドメインにおいて１２個の連続のサブキャリアを、時間ドメインにおいて６つの連続のシンボルを含み、合計７２個のＲＥになる。各ＲＥによって搬送されるビット数は、変調スキームに依存する。
【００２７】
[0038]図２Ａで例示されるように、ＲＥのいくつかは、ＵＥでのチャネル推定のために、ＤＬ基準（パイロット）信号（ＤＬ−ＲＳ）を搬送する。ＤＬ−ＲＳは、セル固有参照信号（ＣＲＳ）（時に共通ＲＳとも呼ばれる）、ＵＥ固有参照信号（ＵＥ−ＲＳ）、およびチャネル状態情報参照信号（ＣＳＩ−ＲＳ）を含み得る。図２Ａは、アンテナポート０、１、２、および３（Ｒ０、Ｒ１、Ｒ２、およびＲ３、とそれぞれ示されている）のためのＣＲＳ、アンテナポート５（Ｒ５と示されている）のためのＵＥーＲＳ、およびアンテナポート１５（Ｒと示されている）のためのＣＳＩ−ＲＳを例示する。図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が占有するのは１つのシンボルか、２つのシンボルか、または３つのシンボルか（図２Ｂは、３つのシンボルを占有するＰＤＣＣＨを例示している）を示す制御フォーマットインジケータ（ＣＦＩ）を搬送する。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボルにおいて４つの連続のＲＥを含む。ＵＥは、これもまたＤＣＩを搬送するＵＥ固有強化型ＰＤＣＣＨ（ｅＰＤＣＣＨ）で構成設定され得る。ｅＰＤＣＣＨは、２つ、４つ、または８つのＲＢペアを有し得る（図２Ｂは、２つのＲＢペアを図示し、各サブセットは、１つのＲＢペアを含む）。物理ハイブリット自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱアクノレッジメント（ＡＣＫ）／ネガティブＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤ識別情報を決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセル識別グループ番号を決定するためにＵＥによって使用されるセカンダリ同期信号（ＳＳＳ）を搬送する。物理レイヤ識別情報および物理レイヤセル識別グループ番号に基づいて、ＵＥは、物理セル識別子（ＰＣＩ）を決定し得る。ＰＣＩに基づいて、ＵＥは、上述のＤＬ−ＲＳのロケーションを決定し得る。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅におけるＲＢの数、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通じて送信されないブロードキャストシステム情報、およびページングメッセージを搬送する。
【００２８】
[0039]図２Ｃで例示されるように、ＲＥのいくつかは、ｅＮＢでのチャネル推定のために、復調参照信号（ＤＭ−ＲＳ）を搬送する。ＵＥは加えて、サブフレームの最後のシンボルにおいて、サウンディング参照信号（ＳＲＳ）を送信し得る。ＳＲＳはコーム構造を有し得、ＵＥは、コームのうちの１つでＳＲＳを送信し得る。ＳＲＳは、ＵＬ上での周波数依存スケジューリングを可能とするよう、チャネル品質推定のためにｅＮＢによって使用され得る。図２Ｄは、フレームのＵＬサブフレーム内の様々なチャネルの例を例示する。物理ランダムアクセスチャネル（ＰＲＡＣＨ）は、ＰＲＡＣＨ構成に基づいてフレーム内の１つまたは複数のサブフレーム内にあり得る。ＰＲＡＣＨは、サブフレーム内に６つの連続のＲＢペアを含み得る。ＰＲＡＣＨは、ＵＥが初期システムアクセスを実行し、ＵＬ同期を達成することを可能にする。物理アップリンク制御チャネル（ＰＵＣＣＨ）は、ＵＬシステム帯域幅の両端に位置し得る。ＰＵＣＣＨは、スケジューリング要求、チャネル品質インジケータ（ＣＱＩ）、プリコーディングマトリクスインジケータ（ＰＭＩ）、ランクインジケータ（ＲＩ）、およびＨＡＲＱ  ＡＣＫ／ＮＡＣＫフィードバックのようなアップリンク制御情報（ＵＣＩ）を搬送する。ＰＵＳＣＨはデータを搬送し、加えて、バッファステータスレポート（ＢＳＲ）、電力ヘッドルームレポート（ＰＨＲ）、および／またはＵＣＩを搬送するために使用され得る。
【００２９】
[0040]図３は、アクセスネットワークにおいてＵＥ３５０と通信するｅＮＢ３１０のブロック図である。ＤＬでは、ＥＰＣ１６０からのＩＰパケットがコントローラ／プロセッサ３７５に提供され得る。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（たとえば、ＭＩＢ、ＳＩＢ）のブロードキャスト、ＲＲＣ接続制御（たとえば、ＲＲＣ接続ページング、ＲＲＣ接続確立、ＲＲＣ接続変更、およびＲＲＣ接続解放）、インター無線アクセス技術（ＲＡＴ）モビリティ、ＵＥ測定報告に関する測定設定に関連付けられたＲＲＣレイヤ機能；ヘッダ圧縮／圧縮解除、セキュリティ（暗号化、暗号解読、インテグリティ保護、インテグリティ検証）、およびハンドオーバサポート機能に関連付けられたＰＤＣＰレイヤ機能；上位レイヤパケットデータユニット（ＰＤＵ）の転送、ＡＲＱを通じた誤り訂正、ＲＬＣサービスデータユニット（ＳＤＵ）の連結とセグメント化と再構築（reassembly）、ＲＬＣデータＰＤＵの再セグメント化、およびＲＬＣデータＰＤＵの再順序付けに関連付けられたＲＬＣレイヤ機能；ならびに論理チャネルとトランスポートチャネルとの間のマッピング、トランスポートブロック（ＴＢ）上へのＭＡＣ  ＳＤＵの多重化、ＴＢからのＭＡＣ  ＳＤＵの逆多重化、スケジューリング情報報告、ＨＡＲＱを通じた誤り訂正、優先処理（priority handling）、および論理チャネル優先順位付けに関連付けられたＭＡＣレイヤ機能を提供する。
【００３０】
[0041]送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方向誤り訂正（ＦＥＣ）コーディング／復号、インターリービング、レートマッチング、物理チャネル上へのマッピング、物理チャネルの変調／復調、およびＭＩＭＯアンテナ処理を含み得る。ＴＸプロセッサ３１６は、様々な変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを扱う。コーディングおよび変調されたシンボルはその後、並列ストリームに分けられ得る。各ストリームはその後、ＯＦＤＭサブキャリアにマッピングされ、時間および／または周波数ドメインにおいて参照信号（たとえば、パイロット）で多重化され、その後逆高速フーリエ変換（ＩＦＦＴ）を使用して互いに組み合わされて、時間ドメインＯＦＤＭシンボルストリームを搬送する物理チャネルを作り出し得る。ＯＦＤＭストリームは、複数の空間ストリームを作り出すために空間的にプリコーディングされる。チャネル推定器３７４からのチャネル推定値が、コーディングおよび変調スキームを決定するためと、それに加えて空間処理のために使用され得る。チャネル推定値は、ＵＥ３５０によって送信されたチャネル状況フィードバックおよび／または参照信号から導出され得る。各空間ストリームはその後、別個の送信機３１８ＴＸを介して異なるアンテナ３２０に提供され得る。各送信機３１８ＴＸは、送信のためにそれぞれの空間ストリームでＲＦキャリアを変調し得る。
【００３１】
[0042]ＵＥ３５０において、各受信機３５４ＲＸは、そのそれぞれのアンテナ３５２を通じて信号を受信する。各受信機３５４ＲＸは、ＲＦキャリア上に変調された情報を復元し、その情報を受信（ＲＸ）プロセッサ３５６に提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０に宛てられたいずれの空間ストリームも復元するために、情報に対して空間処理を実行し得る。複数の空間ストリームがＵＥ３５０に宛てられている場合、それらは、ＲＸプロセッサ３５６によって組み合わされて単一のＯＦＤＭシンボルストリームになり得る。ＲＸプロセッサ３５６はその後、高速フーリエ変換（ＦＦＴ）を使用して、ＯＦＤＭシンボルストリームを時間ドメインから周波数ドメインにコンバートする。周波数ドメイン信号は、ＯＦＤＭ信号の各サブキャリアに対して別個のＯＦＤＭシンボルストリームを備える。各サブキャリア上のシンボル、および参照信号は、ｅＮＢ３１０によって送信された最も確実性のある（most likely）信号コンステレーションポイントを決定することによって復元および復調される。これらの軟判定は、チャネル推定器３５８によって計算されたチャネル推定値に基づき得る。これらの軟判定はその後、物理チャネル上でｅＮＢ３１０によって元々送信されたデータおよび制御信号を復元するために、復号およびデインターリーブされる。データおよび制御信号はその後、レイヤ３およびレイヤ２の機能をインプリメントするコントローラ／プロセッサ３５９に提供される。
【００３２】
[0043]コントローラ／プロセッサ３５９は、プログラムコードおよびデータを記憶するメモリ３６０に関係付けられ得る。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３５９はまた、ＨＡＲＱ演算をサポートするために、ＡＣＫおよび／またはＮＡＣＫプロトコルを使用する誤り検出を担う。
【００３３】
[0044]ｅＮＢ３１０によるＤＬ送信に関係して説明された機能と同様に、コントローラ／プロセッサ３５９は、システム情報（たとえば、ＭＩＢ、ＳＩＢ）獲得、ＲＲＣ接続、および測定報告に関連付けられたＲＲＣレイヤ機能；ヘッダ圧縮／圧縮解除、およびセキュリティ（暗号化、暗号解読、インテグリティ保護、インテグリティ検証）に関連付けられたＰＤＣＰレイヤ機能；上位レイヤＰＤＵの転送、ＡＲＱを通じた誤り訂正、ＲＬＣ  ＳＤＵの連結とセグメント化と再構築、ＲＬＣデータＰＤＵの再セグメント化、およびＲＬＣデータＰＤＵの再順序付けに関連付けられたＲＬＣレイヤ機能；ならびに論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを通じた誤り訂正、優先処理、および論理チャネル優先順位付けに関連付けられたＭＡＣレイヤ機能を提供する。
【００３４】
[0045]ｅＮＢ３１０によって送信された参照信号またはフィードバックからチャネル推定器３５８によって導出されたチャネル推定値は、適切なコーディングおよび変調スキームを選択するために、および空間処理を容易にするために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためにそれぞれの空間ストリームでＲＦキャリアを変調し得る。
【００３５】
[0046]ＵＬ送信は、ＵＥ３５０での受信機機能に関係して説明されたものと同様の手法で、ｅＮＢ３１０で処理される。各受信機３１８ＲＸは、そのそれぞれのアンテナ３２０を通じて信号を受信する。各受信機３１８ＲＸは、ＲＦキャリア上に変調された情報を復元し、その情報をＲＸプロセッサ３７０に提供する。
【００３６】
[0047]コントローラ／プロセッサ３７５は、プログラムコードおよびデータを記憶するメモリ３７６に関係付けられ得る。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３７５からのＩＰパケットは、ＥＰＣ１６０に提供され得る。コントローラ／プロセッサ３７５はまた、ＨＡＲＱ演算をサポートするために、ＡＣＫおよび／またはＮＡＣＫプロトコルを使用する誤り検出を担う。
【００３７】
[0048]図４は、例示的な態様を例示するための図４００である。セル４０２に位置するｅＮＢ４０４は、フレーム４０６中の複数のＤＬサブフレーム（たとえば、０、１、２、３、および／または４）中で、ＵＥ４０８にデータ送信４１０を送り得る。ＵＥ４０８は、フレーム４０６中の複数のＵＬサブフレーム（たとえば、６、７、および８）中で、ｅＮＢ４０４にＵＬデータ送信４２６を送り得る。ＵＬデータ送信４２６は、ｅＮＢ４０４によって処理され得る４１２。一態様では、フレーム４０６は、ライセンススペクトルにおいて使用される無線フレーム、またはアンライセンススペクトルにおいてＬＢＴフレームで使用される無線フレームのどちらかであり得る。
【００３８】
[0049]ライセンススペクトルでは、ダウンリンクＨＡＲＱフィードバックが、予め設定されたＵＬサブフレームでＵＥ４０８によって送信され得る。たとえば、ｅＮＢ４０４がフレーム４０６中のサブフレームｎ中でＵＥ４０８にデータ送信４１０を（たとえば、ＰＤＳＣＨにおいて）送る場合、ＵＥ４０８は、アップリンクサブフレームｎ＋ｋ中で、データ送信４１０に関連するＡＣＫフィードバックを送るように構成され得、ここでｋは、ＦＤＤ操作（たとえば、ｋ＝４）またはＴＤＤ構成によって決定され得る。ｋ＝４を仮定すると、ｅＮＢ４０４がフレーム４０６中のＤＬサブフレーム３中でデータ送信４１０を送る場合、データ送信４１０に関連するＡＣＫフィードバックは、ＵＬサブフレーム７中でＵＥ４０８によって送られ得る。ＬＴＥ−Ａでは、ｅＮＢ４０４は、ＵＥ４０８から、周期的ＣＳＩまたは非周期的（Ａ−ＣＳＩ）からのＣＳＩを取得し得る。周期的レポートからＣＳＩを取得することは、たとえば、ＣＣＡが期間報告時間の前にクリアでないことがある、および／またはどのＵＬサブフレームも周期的報告時間中、利用可能でないので、アンライセンススペクトルにおいて信頼性がないことがある。
【００３９】
[0050]アンライセンススペクトルでは、１つまたは複数のＵＥ（たとえば、ＵＥ４０８）に、ＡＣＫのグループを含むＧＡＣＫおよび／またはＡ−ＣＳＩを１つまたは複数のＵＥ４０８のうちの各々が送ることを引き起こすＤＣＩトリガ４１４がｅＮＢ４０４によって送信され得るとき、ＣＳＩおよびＡＣＫフィードバックは取得され得る。たとえば、ＤＣＩトリガ４１４が１つよりも多くのＵＥ４０８に送られ得る場合、ＤＣＩトリガ４１４は、複数のＵＥにＵＥグループグラントにおいて送られ得る。
【００４０】
[0051]引き続き図４を参照すると、および再びｋ＝４であると仮定すると、Ａ−ＣＳＩおよび／またはＧＡＣＫのためのＤＣＩトリガ４１４がＤＬサブフレームｎ＝２中で送信され得るときには、Ａ−ＣＳＩレポートおよび／またはＧＡＣＫを含むＵＣＩ４１８は、ＵＬサブフレーム６中でＵＥ４０８によって送信され得る。ＤＣＩトリガ４１４は、ＵＥ４０８からのＡ−ＣＳＩおよび／またはＧＡＣＫ応答をトリガリングするための３つのフィールドを含み得る。たとえば、３つのフィールドの各々は、キャリアの数および／またはＣＳＩプロセスに依存して、１ビットまたは複数ビットを含み得る。
【００４１】
[0052]以下に説明される態様では、ＤＣＩトリガ４１４の３つのフィールドの各々が、例示を簡潔にするために、１ビットを含むように設定され得ることは留意されるべきである。ＤＣＩトリガ４１４の３ビットは、いずれか適したＤＣＩフォーマットを使用してｅＮＢ４０４によって送信され得る。たとえば、ＤＣＩトリガ４１４は、ＤＣＩフォーマット０またはＤＣＩフォーマット４を使用してＵＬスケジューリンググラントにおいて送信され得る。別の例では、ＤＣＩトリガ４１４は、ＤＣＩフォーマット１Ａ（たとえば、ＤＣＩ１とも呼ばれる）を使用してＤＬスケジューリンググラントにおいて送信され得る。別の例として、ＤＣＩトリガ４１４は、Ａ−ＣＳＩ／ＧＡＣＫのためのＵＥグループグラントにおいて送信され得る。たとえば、ＵＥグループグラントは、グループトリガリングのためのまだ決められていない（yet undecided）ＤＣＩフォーマット（たとえば、以下ではＤＣＩフォーマットｍと呼ばれる）で送られ得る。たとえば、ｍは、１以上の整数であり得る。ＤＣＩフォーマットｍで送信されるＤＣＩトリガ４１４は、ＵＥのグループ（図４では図示せず）を対象とし得、ビットマップを含み得る。該グループにおける各ＵＥは、ＤＣＩトリガ４１４に応答する際に使用されるべきアップリンクリソースを決定するために、（たとえば、ＤＣＩフォーマットｍで送信される）ＤＣＩトリガ４１４に含まれるビットマップを処理し得る。
【００４２】
[0053]たとえば、ＤＣＩフォーマットｍで受信されるＤＣＩトリガ４１４は、３ビットＵＥ固有メッセージを含み得る：ＣＳＩトリガに関してはビット３＊ｉ、ＧＡＣＫトリガに関してはビット（３＊ｉ＋１）、ＧＡＣＫタグに関してはビット（３＊ｉ＋２）であり、ここでｉは、グループ中のＵＥのインデックスであり得る。したがって、ビットマップにおける各一連の（successive）３ビット値は、異なるＵＥに対応する。強化型物理アップリンク制御チャネル（ｅＰＵＣＣＨ）リソースは、ＵＥ４０８がトリガリングされたレポートを含むＵＣＩ４１８を送るように設定され得る。ＵＥ４０８のために設定されたｅＰＵＣＣＨリソースは、これらもまたトリガリングされている、所与のＵＥより前にインデックス付けされているグループ中のＵＥの数に基づいて設定され得る。例示的な態様によれば、ＵＬスケジューリンググラントはＰＵＳＣＨグラントを含み得、ＤＬスケジューリンググラントはＰＤＳＣＨグラントを含み得る。アンライセンススペクトルでは、ＰＵＣＣＨは、ＧＡＣＫ、ＣＳＩ、ショートＢＳＲ等に対応するようにより多くのビットを搬送する必要があり得る。これにより、ＬＴＥのための設計は、より多くのビットを搬送するように強化され、これは、ｅＰＵＣＣＨと呼ばれる。
【００４３】
[0054]第１のシナリオでは、図４を参照すると、ＵＥ４０８がより上位のレイヤパラメータで設定され得る場合、Ａ−ＣＳＩ／ＧＡＣＫ情報を含み得るＤＣＩフォーマット０に３つのフィールドが存在し得る（たとえば、ＤＣＩトリガ４１４）。ＵＥ４０８は、ＤＣＩトリガ４１４が特定のＤＬサブフレーム中にあるＤＣＩフォーマット０を監視するように、より上位のレイヤパラメータで設定され得る。他のＤＬサブフレームでは、ＤＣＩフォーマット０は、これらのフィールドを有さないことがある。ＵＥ４０８の観点から、ＵＥ４０８は、ＲＲＣサブレイヤによって設定されたサブフレームセットに応じて異なるＤＣＩサイズを監視し得る。このことは、Ａ−ＣＳＩ／ＧＡＣＫのフレキシビリティを許容し得るが、他のサブフレームに関するペイロードサイズを縮小する。言い換えると、追加されたトリガ空間が全てのＤＣＩフォーマット０インスタンスに含まれないので、より少ないサブフレームが制御情報のために使用される。ＤＣＩトリガ４１４についてＵＥ４０８によって監視されるＤＬサブフレームは、また、ＵＬ／ＤＬ構成に応じたものであり得る（たとえば、サブフレームｎが、ＰＵＣＣＨがＵＣＩ４１８を含むように構成されたサブフレームである場合、サブフレームｎ−ｋ上のＤＣＩトリガ４１４について監視する）。グラントまたはＤＣＩトリガ４１４は、セルラ無線ネットワーク一時識別子（Ｃ−ＲＮＴＩ）でスクランブリングされた、ＵＥ固有探索空間または共通探索空間において送信され得る。ＤＣＩトリガ４１４は、ＵＬサブフレームｎ＋ｋ中でのＵＥ４０８からのＵＣＩ４１８送信をトリガリングし得、このとき、ｋはＵＬスケジューリングタイミングに従う。
【００４４】
[0055]第２のシナリオでは、ＵＥ４０８は、グループ無線ネットワーク一時識別子（Ｇ−ＲＮＴＩ）でスクランブリングされた特定のＤＬサブフレーム中でＤＣＩフォーマットｍ（たとえば、ＵＥグループグラント）を使用して搬送されているＤＣＩトリガ４１４について監視するために、より上位のレイヤパラメータによって設定され得る４２８。Ｇ−ＲＮＴＩ値は、より上位のレイヤによってシグナリングされ得る。例示的な態様によれば、ＤＣＩフォーマットｍを使用して搬送されるＤＣＩトリガ４１４は、ＵＥのセットに関するＡ−ＣＳＩおよび／またはＧＡＣＫ送信をトリガリングするために使用され得る。ＤＣＩフォーマットｍにおいてＤＣＩトリガ４１４を受信するＵＥのセットは、より上位のレイヤパラメータ（たとえば、ＲＲＣサブレイヤ）によって設定され得る。ＤＣＩフォーマットｍを使用して搬送されているＤＣＩトリガ４１４におけるビット数は、該セット中の各ＵＥについて同じであり得る。
【００４５】
[0056]たとえば、ｅＮＢ４０４は、１つのＣＳＩプロセス（たとえば、Ａ−ＣＳＩ）でＵＥの第１のグループを作成し、ＵＥの該第１のグループにＤＣＩフォーマットｍを使用して第１のＤＣＩトリガを送り得る。ｅＮＢ４０４は、２つのＣＳＩプロセスでＵＥの第２のグループを作成し、該ＵＥの第２のグループにＤＣＩフォーマットｍを使用して第２のＤＣＩトリガを送り得る。Ａ−ＣＳＩのためにＤＣＩトリガを受信する該第１のグループ中のＵＥは、第１のＤＣＩトリガにおいて１ビットを受信し得、該第２のグループ中のＵＥは、第２のＤＣＩトリガ４１４において２ビット受信し得る。どちらのケースでも、（たとえば、１６ビットを用いた）巡回冗長検査が、ＤＣＩトリガ４１４、および／または応答してグループ中の各ＵＥによって送られるＵＣＩ４１８に含まれ得る。
【００４６】
[0057]さらに、ＵＥ４０８は、各フレーム中の特定のＤＬサブフレーム中のＤＣＩトリガ４１４について監視するように、より上位のレイヤパラメータ（たとえば、ＲＲＣサブレイヤ）によって設定され得る４２８。すなわち、ある特定のＤＬサブフレームにおけるＤＣＩフォーマットｍは、ＤＣＩトリガ４１４を含まないことがあり、ＵＥ４０８は、ＤＣＩトリガ４１４についてこれらのＤＬサブフレームを監視することを控えるように設定され得る４２８。ＵＥ４０８は、より上位のレイヤパラメータ（たとえば、ＲＲＣサブレイヤ）によって設定されたＤＬサブフレームまたはＤＬサブフレームのセットに依存する異なるＤＣＩサイズを監視し得る。ある特定のＤＬサブフレーム中でＤＣＩフォーマットｍを設定することによって、システムは、Ａ−ＣＳＩ／ＧＡＣＫを取得するフレキシビリティを与えられ得ながらも、他のＤＬサブフレームに関するペイロードサイズを縮小し得る。
【００４７】
[0058]たとえば、送信電力およびＰＤＣＣＨリソースの数が同じであり、ペイロードがより小さい場合、ＦＥＲもまたより小さくあり得、このことは、それらのサブフレームに関するカバレッジを増大させるであろう。第２のシナリオでは、ＤＣＩフォーマットｍを使用して搬送されているＤＣＩトリガ４１４は、フレーム４０６のＤＬサブフレーム２中でｅＮＢ４０４によって送信され得、これは、ＵＣＩ４１８がＵＬサブフレーム６（たとえば、ｎ＋ｋ、ここでｋはＵＬスケジューリングタイミングに従う）中でＵＥ４０８によって送信されるようにトリガリングする。ＤＣＩフォーマットｍによって搬送されているＤＣＩトリガ４１４は、ｅＮＢ４０４によって共通探索空間において送信され得る。表１は、ＤＣＩフォーマットｍでＤＣＩトリガを受信する各グループ中のＭ個のＵＥ（たとえば、ユーザ）のセットを例示する。
【００４８】
[0059]
【表１】
2019146182.tif 000003
【００４９】
[0060]第３のシナリオでは、ＵＥ４０８は、ある特定のＤＬサブフレーム中の、ＤＣＩフォーマット１Ａ（たとえば、ＤＬスケジューリンググラント）を使用して搬送されているＤＣＩトリガ４１４について監視するように、より上位のレイヤパラメータによって設定され得る４２８。例示的な方法では、ＵＥ４０８は、ＤＣＩフォーマット１Ａを使用して搬送されているＤＣＩトリガ４１４について１つまたは複数のＤＬサブフレームを監視し得４３０、ＵＥ４０８は、ＤＣＩトリガ４１４が受信され得るＤＬサブフレームに基づいて、ＵＬサブフレーム中でｅＮＢ４０４にＵＣＩ４１８を送信し得る。第３のシナリオでは、ＤＣＩフォーマット１Ａによって搬送されているＤＣＩトリガ４１４は、フレーム４０６のＤＬサブフレーム２中でｅＮＢ４０４によって送信され得、これは、ＵＣＩ４１８がＵＬサブフレーム６（たとえば、ｋがＨＡＲＱタイミングに従えば、ｎ＋ｋ）中でＵＥによって送信されるようにトリガリングする。
【００５０】
[0061]例示的な態様によれば、ＤＣＩトリガ４１４は、ＰＵＳＣＨグラントにおいてＤＣＩフォーマット０を使用してｅＮＢ４０４によって送信され得る。こうした態様では、ＵＥ４０８は、ＵＬサブフレーム中でＰＵＣＣＨまたはｅＰＵＣＣＨ中の特定のリソースを使用してＵＣＩ４１８を送信することを決定し得る４１６。一態様では、ＵＥ４０８は、ＲＲＣサブレイヤからのシグナリングによって、ＤＬサブフレーム内部におけるＰＵＳＣＨグラント４２０の位置（たとえば、ＰＤＣＣＨまたはｅＰＤＣＣＨにおけるＰＵＳＣＨグラントの位置）に基づいて、またはＤＣＩトリガ４１４における情報によって、ＰＵＣＣＨ中の特定のリソースを決定し得る４１６。たとえば、ＰＵＳＣＨグラントを送信すべき４つのｅＰＤＣＣＨリソースが存在する場合、ＵＥ４０８は、どのＰＵＣＣＨリソースがＵＣＩ４１８を送信するために使用され得るかを決定するために該４つのｅＰＤＣＣＨリソースに対してブラインド復号を実行し得る。ＵＣＩ４１８を送信するためにＵＥ４０８によって使用されるＰＵＣＣＨリソースは、どこでＰＵＳＣＨグラント４２０が発見され得るかに依存し得る。２つのＰＵＣＣＨリソース（たとえば、０および１）ならびに４つのＥＰＤＣＣＨリソース（たとえば、０、１、２、および３）を仮定すると、ＤＣＩトリガ４１４を含むＰＵＳＣＨグラント４２０がｅＰＤＣＣＨリソース０または１において発見され得る場合、ＵＥ４０８は、ＰＵＣＣＨリソース０上でＵＣＩ４１８を送信し得る。ＤＣＩトリガ４１４を含むＰＵＳＣＨグラントがｅＰＤＣＣＨリソース２または３上で発見され得る場合、ＵＥ４０８は、ＰＵＣＣＨリソース１上でＵＣＩ４１８を送信し得る。代わりとして、ＵＥ４０８は、ＵＬサブフレーム中でＰＵＳＣＨにおいてＵＣＩ４１８を送信することを決定し得る４１６。たとえば、送信されたＵＣＩ４１８は、ＵＬサブフレーム中でＰＵＳＣＨにおいてデータで多重化され得る。リソース要素マッピングは、バースト性干渉に対するＡＣＫ送信の信頼性を高めるために変化し得る。より上位のレイヤパラメータが、ＰＵＣＣＨにおいてＵＣＩ４１８を送信すること、またはＵＬサブフレーム中でＰＵＳＣＨにおいてデータでＵＣＩ４１８を多重化すること、のどちらかを選択するためにＵＥ４０８によって使用され得る。
【００５１】
[0062]引き続き図４を参照すると、例示的な態様では、ｅＮＢ４０４は、グループ中の複数のＵＥのインデックスを含むＵＥグループグラントにおいてＤＣＩフォーマットｍを使用してＤＣＩトリガ４１４を送信し得る。そうした態様では、ＵＥ４０８は、ＤＣＩトリガ４１４を復号することによって、やはりＤＣＩトリガ４１４を受信したグループ中の先行するＵＥの数を決定し得る４２２。ＤＣＩトリガ４１４がＤＣＩフォーマットｍによって搬送され得、ＰＵＳＣＨグラント４２０なしで受信され得る場合、ＵＥ４０８は、グラント内のその位置およびグラントにおけるアクティブなＵＥの数に基づいて、ＵＣＩ４１８を送信すべきＵＥサブフレーム中でＰＵＣＣＨ中の指定のリソースを決定し得る４１６。
【００５２】
[0063]一態様では、ＵＥ４０８は、より上位のレイヤパラメータからのシグナリングに基づいてＰＵＣＣＨ中の特定のリソースを決定し得る。別の態様では、ＵＥ４０８は、グループ中のアクティブなＵＥのインデックスを使用して、ＰＵＣＣＨ中の特定のリソースを決定する。こうした態様では、ＵＥ４０８は、やはりＤＣＩトリガ４１４を受信したグループ中の先行するＵＥ（たとえば、グループ中のアクティブなＵＥ）の数およびインデックスでのそれ自体の位置を決定し得る。ＤＣＩフォーマットｍによって搬送されたＤＣＩトリガ４１４がＵＥ４０８によって復号され得るとき、ＵＥ４０８は、ＵＥグループグラントにおけるフィールドにアクセスし得る。
【００５３】
[0064]例示的な実施形態では、ＤＣＩトリガ４１４がＵＥグループグラント（たとえば、ＤＣＩフォーマットｍ）において受信され、ｅＮＢ４０４からのＰＵＳＣＨグラント４２０送信なしで受信される場合、ＵＥ４０８は、やはりグループにおいてＤＣＩトリガ４１４を受信するアクティブなＵＥのインデックスおよび／またはより上位のレイヤシグナリングによって供給されるリソースを用いて（たとえば、ＵＥ４０８は、ＵＥグループグラントにおける全てのフィールドにアクセスし得る）、ＰＵＣＣＨまたはｅＰＵＣＣＨ上で後続のＵＬサブフレーム中でＵＣＩ４１８を送信し得る。
【００５４】
[0065]たとえば、ＵＥ４０８がグループにおいてインデックス３を有し、ＵＥ１がトリガリングされず、ＵＥ２がトリガリングされることを仮定すると、ＵＥ４０８は、２のインデックスを含むリソースを用いて、ＵＬサブフレーム中で送信し得る。ｅＰＵＣＣＨリソースは、ＲＲＣによって、またはＵＥグループグラントにおけるＵＥの位置によって設定され得る。言い換えると、ＵＥによる使用のために利用可能なｅＰＵＣＣＨリソースは、ＲＲＣを使用して半静的に設定され得るか、またはＵＥグループグラントにおける情報を使用することによって動的にセットされ得る（たとえば、グループグラントにおける各ＵＥは、利用可能な周波数リソースを推量するために、関連付けられた３ビットトリガと、それに加えて他のＵＥの３ビットトリガを読み込むこと、およびＰＦＦＩＣＨから時間リソースを導出することによって使用のために利用可能なｅＰＵＣＣＨリソースを決定し得る）。ＤＣＩトリガ４１４が、ＤＣＩフォーマットｍで搬送されてサブフレームｎ中で受信され、サブフレームｎ＋ｋ中にＰＵＳＣＨグラント４２０または強化型ＰＵＳＣＨ（ｅＰＵＳＣＨ）グラント送信が存在する場合、ＵＥ４０８は、ｅＰＵＣＣＨにおいてＵＣＩ４１８を送信し得る、および／またはＵＥ４０８は、データで多重化されたＵＣＩ４１８をｅＰＵＳＣＨにおいて送信し得る。加えて、ｅＰＵＳＣＨおよびｅＰＵＣＣＨにおける同時送信を示すより上位のレイヤパラメータは、これらの２つのオプションの間から選択するためにＵＥ４０８によって使用され得る。アンライセンススペクトルを使用すると、ＰＵＳＣＨリソースは、帯域幅要件を満たすために、非連続のＲＢのグループであるインターレースに分けられ得る。したがって、ｅＰＵＳＣＨは、周波数リソースに関してインターレース構造を持つＰＵＳＣＨである。
【００５５】
[0066]ｅＮＢ４０４がＵＥ４０８にＳＰＳ情報４２４を送信する場合、ＵＥ４０８は、ｅＮＢ４０４からＰＵＳＣＨグラント４２０を受信しても、受信しなくても、ＵＬサブフレーム中でＰＵＳＣＨにおいてＵＣＩ４１８を含み得る。やはり、ＵＣＩ４１８は、データで多重化され、ＵＬサブフレーム中でＰＵＳＣＨにおいて送信され得る。たとえば、ｅＮＢ４０４は、ＳＰＳと同じリソース割り当て、ヌルトランスポートブロックサイズ、たとえば、変調およびコーディングスキーム（ＭＣＳ）、およびアクティブ化されたＧＡＣＫ／Ａ−ＣＳＩトリガを持つＤＣＩフォーマット０を使用してＤＣＩトリガ４１４を送信することによって、個別のＧＡＣＫ／Ａ−ＣＳＩフィードバックをトリガリングし得る。ＧＡＣＫ／Ａ−ＣＳＩは、データで多重化され、ＵＬサブフレーム中でＰＵＳＣＨにおいて送信され得、このケースでは、ＳＰＳは、ＤＣＩフォーマット０を使用して搬送されたＤＣＩトリガ４１４がＤＣＩトリガ４１４ビットで監視され得る（たとえば、サブフレームｎ−ｋ上のトリガビットでＤＣＩフォーマット０を監視し得る、ここでｎは、ＳＰＳサブフレームであり、ｋは、ＵＬスケジュールタイミングに従う）時間インスタンスを変化させ得る。
【００５６】
[0067]一態様によれば、ｅＮＢ４０４は、ＤＬサブフレーム中でＰＤＳＣＨグラントにおいてＤＣＩフォーマット１Ａを使用してＤＣＩトリガ４１４を送信し得る。こうした態様では、ＰＵＳＣＨグラント４２０がまたｅＮＢ４０４によって送信されないことがある場合、ＵＥ４０８は、ＵＬサブフレーム中でＰＵＣＣＨ中の特定のリソースを使用してＵＣＩ４１８を送信することを決定し得る４１６。たとえば、ＵＥ４０８は、ＲＲＣサブレイヤからのシグナリングに基づいて、ＤＬサブフレーム内部におけるＰＵＳＣＨグラントの位置（たとえば、ＰＤＣＣＨまたはｅＰＤＣＣＨにおけるＰＵＳＣＨグラントの位置）に基づいて、またはＤＣＩトリガ４１４における情報によって、ＰＵＣＣＨ中の特定のリソースを決定し得る４１６。
【００５７】
[0068]代わりとして、ＰＵＳＣＨグラント４２０がまたｅＮＢ４０４によって送信される場合、ＵＥ４０８は、ＵＬサブフレーム中でＰＵＣＣＨにおいて、またはＵＬサブフレーム中でＰＵＳＣＨにおいて、のどちらかで、ＵＣＩ４１８を送信することを決定し得る４１６。ＵＥ４０８がＵＬサブフレーム中でＰＵＣＣＨにおいてＵＣＩ４１８を送信することを決定する４１６場合、ＵＥ４０８は、ＲＲＣサブレイヤからのシグナリングによって、ＤＬサブフレームにおけるＰＤＳＣＨグラントの位置（たとえば、ＰＤＣＣＨまたはｅＰＤＣＣＨにおけるＰＤＳＣＨグラントの位置）に基づいて、またはＤＣＩトリガ４１４における情報によって、ＰＵＣＣＨ中の特定のリソースを決定し得る４１６。ＵＥ４０８がＰＵＳＣＨにおいてＵＣＩ４１８を送信することを決定する４１６場合、ＵＣＩ４１８は、ＵＬサブフレーム中でデータで多重化され得る。一態様では、リソース要素マッピングは、バースト性干渉に対するＡＣＫ送信の信頼性を高めるように変化し得る。ＤＣＩトリガ４１４がＤＣＩフォーマット１Ａを使用して搬送され、ＰＵＳＣＨグラント４２０が受信される場合、より上位のレイヤパラメータは、ＰＵＣＣＨにおいて送信すること、またはＰＵＳＣＨにおいて送信することの間から選択するために使用され得る。
【００５８】
[0069]例示的な態様によれば、ｅＮＢ４０４は、同じＵＥ（たとえば、ＵＥ４０８）に関してアクティブなフィールドを持つ１つよりも多くのＤＣＩフォーマットでＤＣＩトリガ４１４を送信することを控え得る。他の態様では、ｅＮＢ４０４は、同じＵＥ４０８に複数のＤＣＩフォーマット（たとえば、ＤＣＩフォーマット０およびＤＣＩフォーマット１Ａ）を送信し得る。こうした態様では、ＵＥ４０８に送信されたＤＣＩフォーマットのうちの１つは、ＤＣＩトリガ４１４を含み得、このことは、ＤＬサブフレーム中でリソースを節約するが、ＵＥ４０８が追加のブラインド検出を実行しなければならないことがある。
【００５９】
[0070]したがって、ＵＥ４０８は、ＤＣＩフォーマット０とＤＣＩフォーマット１Ａとの両方がＵＥ４０８に送られるときに、ＤＣＩトリガ４１４がＤＣＩフォーマットのうちの１つに存在し得るように（たとえば、ＲＲＣサブレイヤによって）設定され得る。別の態様では、ｅＮＢ４０４は、ＤＣＩフォーマット０とＤＣＩフォーマット１Ａとの両方でＤＣＩトリガ４１４を送信し得る。このことは、第１の例ではＵＥ４０８によるブラインド検出を簡略化し得るが、いくらかの冗長を引き起こす。第２の例は、アクティブなＤＣＩトリガに適用される。ＵＥ４０８がＤＣＩフォーマットｍによってトリガリングされないため、ｅＮＢ４０４は、たとえば、ＵＥ４０８においてＡ−ＣＳＩ／ＧＡＣＫフィードバックをトリガリングするＤＣＩフォーマット０を送信し得る。
【００６０】
[0071]図５は、ワイヤレス通信の第１の方法のフローチャート５００である。方法は、ＵＥ１０４、３５０、４０８のようなＵＥ／モバイル局によって実行され得る。
【００６１】
[0072]ステップ５０２で、ＵＥは、ＤＣＩトリガについて１つまたは複数のサブフレームを監視する。たとえば、図４を参照すると、ＵＥ、たとえば、４０８は、ある特定のＤＬサブフレーム中のＤＣＩトリガ４１４について監視するように、より上位のレイヤパラメータ（たとえば、ＲＲＣサブレイヤ）によって設定され得る４２８。より上位のレイヤパラメータはまた、ＤＣＩフォーマット０、１Ａ、４、および／またはｍのうちの１つまたは複数で搬送されているＤＣＩトリガ４１４について監視するようにＵＥ４０８を設定し得る。
【００６２】
[0073]ステップ５０４で、ＵＥは、サブフレーム中のＤＣＩトリガを受信する。たとえば、図４を参照すると、ＵＥ４０８は、ＤＬサブフレーム中でｅＮＢ４０４によって送信されたＤＣＩトリガ４１４を受信し得る。ＤＣＩトリガ４１４は、Ａ−ＣＳＩおよび／またはＧＡＣＫのためのものであり得る。
【００６３】
[0074]ステップ５０６で、ＵＥは、後続のサブフレームを使用してＵＣＩを送信する。たとえば、図４を参照すると、ＵＥ４０８は、ＤＬサブフレーム中のＤＣＩトリガ４１４を受信したことに応答して、ｅＮＢ４０４にＵＣＩ４１８を送信する。ＵＣＩ４１８を送信する際に使用されるＵＬサブフレームおよびリソースは、たとえば、ＨＡＲＱタイミング、ＵＬタイミングによって設定され得る、および／またはより上位のレイヤパラメータによって設定され得る。ＵＣＩは、たとえば、ＧＡＣＫおよび／またはＡ−ＣＳＩを備え得る。
【００６４】
[0075]図６Ａ〜６Ｃは、ワイヤレス通信の第１の方法のフローチャート６００を例示する。方法は、ＵＥ１０４、３５０、４０８のようなＵＥ／モバイル局によって実行され得る。破線で示されている動作は、本開示の様々な態様のためのオプションの動作を表すことは理解されるべきである。
【００６５】
[0076]図６Ａにおいて例示されるように、ステップ６０２で、ＵＥは、ＤＣＩトリガについて１つまたは複数のサブフレームを監視する。たとえば、図４を参照すると、ＵＥ４０８は、ある特定のＤＬサブフレーム中のＤＣＩトリガ４１４について監視するように、より上位のレイヤパラメータ（たとえば、ＲＲＣサブレイヤ）によって設定され得る４２８。より上位のレイヤパラメータはまた、ＤＣＩフォーマット０、１Ａ、４、および／またはｍのうちの１つまたは複数で搬送されているＤＣＩトリガ４１４について監視するようにＵＥ４０８を設定し得る。
【００６６】
[0077]ステップ６０４で、ＵＥは、ＤＣＩトリガを受信し得る。たとえば、ＵＥは、パスＡによって例示されるように、ＰＵＳＣＨグラントにおいてＤＣＩトリガを受信し得る。代わりの例では、ＵＥは、パスＢによって例示されるように、ＰＤＳＣＨグラントにおいてＤＣＩトリガを受信し得る。さらなる代わりの例では、ＵＥは、パスＣによって例示されるように、ＰＤＳＣＨグラントにおいてＤＣＩトリガを受信し、また、ＰＵＳＣＨグラントを受信し得る。別の代わりの例では、ＵＥは、パスＤによって例示されるように、グループグラントにおいてＤＣＩトリガを受信し得る。また別の代わりの例では、ＵＥは、パスＥによって例示されるように、グループグラントにおいてＤＣＩトリガを受信し、また、ＰＵＳＣＨグラントを受信し得る。
【００６７】
[0078]引き続き図６Ａを参照すると、パスＡのステップ６０６で、ＵＥは、ＰＵＳＣＨグラントにおいてＤＣＩトリガを受信し得る。たとえば、図４を参照すると、ＵＥ４０８は、ＤＬサブフレーム中でｅＮＢ４０４からＤＣＩフォーマット０でＤＣＩトリガ４１４を受信し得る。ＤＣＩトリガ４１４は、Ａ−ＣＳＩおよび／またはＧＡＣＫのためのものであり得る。
【００６８】
[0079]パスＡのステップ６０８で、ＤＣＩトリガがＰＵＳＣＨグラントにおいて受信されるとき、ＵＥは、後続のサブフレーム中でＰＵＣＣＨ中の特定のリソースを使用してＵＣＩを送信し得る。たとえば、図４を参照すると、ＵＥ４０８は、ＵＬサブフレーム中でＰＵＣＣＨまたはｅＰＵＣＣＨ中の特定のリソースを使用してＵＣＩ４１８を送信することを決定し得る４１６。たとえば、ＵＥ４０８は、ＲＲＣサブレイヤからのシグナリングによって、ＤＬサブフレーム内部におけるＰＵＳＣＨグラントの位置（たとえば、ＰＤＣＣＨまたはｅＰＤＣＣＨにおけるＰＵＳＣＨグラントの位置）に基づいて、またはＤＣＩトリガ４１４における情報によって、ＰＵＣＣＨ中の特定のリソースを決定し得る４１６。
【００６９】
[0080]代わりとして、パスＡのステップ６１０で、ＤＣＩがＰＵＳＣＨグラントにおいて受信されるとき、ＵＥは、後続のサブフレーム中でＰＵＳＣＨにおいてＵＣＩを送信し得る。たとえば、図４を参照すると、ＵＥ４０８は、ＵＬサブフレーム中でＰＵＳＣＨにおいてＵＣＩ４１８を送信することを決定し得る４１６。たとえば、送信されたＵＣＩ４１８は、ＵＬサブフレーム中でＰＵＳＣＨにおいてデータで多重化され得る。
【００７０】
[0081]図６ＢにおけるパスＢに移ると、ステップ６１２で、ＵＥは、ＰＤＳＣＨグラントにおいてＤＣＩトリガを受信し得る。たとえば、図４を参照すると、ＵＥ４０８は、ＤＬサブフレーム中でｅＮＢ４０４からＤＣＩフォーマット１でＤＣＩトリガ４１４を受信し得る。ＤＣＩトリガ４１４は、Ａ−ＣＳＩおよび／またはＧＡＣＫのためのものであり得る。
【００７１】
[0082]パスＢのステップ６１４で、ＤＣＩトリガがＰＤＳＣＨグラントにおいて受信されるとき、ＵＥは、後続のサブフレーム中でＰＵＣＣＨ中の特定のリソースを使用してＵＣＩを送信し得る。たとえば、図４を参照すると、ＰＵＳＣＨグラント４２０がまた、ｅＮＢ４０４によって送信されない場合、ＵＥ４０８は、ＵＬサブフレーム中でＰＵＣＣＨ中の特定のリソースを使用してＵＣＩ４１８を送信することを決定し得る４１６。たとえば、ＵＥ４０８は、ＲＲＣサブレイヤからのシグナリングに基づいて、ＤＬサブフレーム内部におけるＰＤＳＣＨグラントの位置（たとえば、ＰＤＣＣＨまたはｅＰＤＣＣＨにおけるＰＤＳＣＨグラントの位置）に基づいて、またはＤＣＩトリガ４１４における情報によって、ＰＵＣＣＨ中の特定のリソースを決定し得る４１６。
【００７２】
[0083]図６ＢにおけるパスＣに移ると、ステップ６１６で、ＵＥは、ＰＵＳＣＨグラントを受信し、ＰＤＳＣＨグラントにおいてＤＣＩトリガを受信し得る。たとえば、図４を参照すると、ＵＥ４０８は、ＤＬサブフレーム中のＰＤＳＣＨグラントにおけるＤＣＩフォーマット１ＡでのＤＣＩトリガ４１４を、およびＰＵＳＣＨグラント４２０を受信し得る。
【００７３】
[0084]パスＣのステップ６１８で、ＤＣＩトリガがＰＤＳＣＨグラントにおいて受信され、ＰＵＳＣＨグラントが受信されるとき、ＵＥは、後続のサブフレーム中でＰＵＣＣＨ中の特定のリソースを使用してＵＣＩを送信し得る。たとえば、図４を参照すると、ＰＵＳＣＨグラント４２０がまた、ｅＮＢ４０４によって送信される場合、ＵＥ４０８は、ＰＵＣＣＨにおいてＵＣＩ４１８を送信することを決定し得る４１６。ＵＥ４０８がＵＬサブフレーム中でＰＵＣＣＨにおいてＵＣＩ４１８を送信することを決定する４１６場合、ＵＥ４０８は、ＲＲＣサブレイヤからのシグナリング、ＤＬサブフレーム内部におけるＰＤＳＣＨグラントの位置（たとえば、ＰＤＣＣＨまたはｅＰＤＣＣＨにおけるＰＤＳＣＨグラントの位置）、またはＤＣＩトリガ４１４における情報に基づいて、ＵＣＩ４１８を含むべきＰＵＣＣＨ中の特定のリソースを決定し得る４１６。
【００７４】
[0085]代わりとして、パスＣのステップ６２０で、ＤＣＩトリガがＰＤＳＣＨグラントにおいて受信され、ＰＵＳＣＨグラントが受信されるとき、ＵＥは、後続のサブフレーム中でＰＵＳＣＨにおいてＵＣＩを送信し得る。たとえば、図４を参照すると、ＰＵＳＣＨグラント４２０がまた、ｅＮＢ４０４によって送信される場合、ＵＥ４０８は、ＰＵＳＣＨにおいてＵＣＩ４１８を送信することを決定し得る４１６。ＵＥ４０８がＰＵＳＣＨにおいてＵＣＩ４１８を送信することを決定する４１６場合、ＵＣＩ４１８は、ＵＬサブフレーム中でデータで多重化され得る。
【００７５】
[0086]図６ＣにおけるパスＤに移ると、ステップ６２２で、ＵＥは、グループ中の複数のＵＥのインデックスを含むグループグラントにおいてＤＣＩトリガを受信し得る。たとえば、図４を参照すると、ＵＥ４０８は、ｅＮＢ４０４からＵＥグループグラントにおいてＤＣＩフォーマットｍでＤＣＩトリガ４１４を受信し得る。グループグラントは、やはりＤＣＩフォーマットｍでＤＣＩトリガ４１４を受信した複数のＵＥのインデックスを含み得る。
【００７６】
[0087]パスＤのステップ６２４で、ＵＥは、ＤＣＩトリガを復号することによって、やはりＤＣＩトリガを受信したグループ中の先行するＵＥの数を決定し得る。たとえば、図４を参照すると、ＤＣＩフォーマットｍによって搬送されるＤＣＩトリガ４１４がＵＥ４０８によって復号されるとき、グループ中のどのＵＥがＤＣＩトリガ４１４を受信したかを決定するために、ＵＥ４０８は、ＵＥグループグラントにおける全てのフィールドにアクセスし得る。ｅＮＢ４０４がＵＥ４０８にＳＰＳ情報４２４を送信する場合、ＵＥ４０８は、ｅＮＢ４０４からＰＵＳＣＨグラント４２０を受信しても、受信しなくても、ＵＬサブフレーム中でＰＵＳＣＨにおいてＵＣＩ４１８を含み得る。ここで、ＵＣＩ４１８は、データで多重化され、ＵＬサブフレーム中でＰＵＳＣＨにおいて送信され得る。
【００７７】
[0088]パスＤのステップ６２６で、ＵＥは、やはりＤＣＩトリガを受信したグループ中の先行するＵＥの数およびインデックスでの位置に基づいて、ＵＣＩを送信すべき後続のサブフレーム中の特定のリソースを決定し得る。たとえば、図４を参照すると、ＵＥ４０８がグループにおいて３のインデックスを有し、ＵＥ１がトリガリングされず、ＵＥ２がトリガリングされる場合、ＵＥ４０８は、２のインデックスを持つリソースにおいてＵＣＩ４１８を送信し得る。
【００７８】
[0089]パスＤのステップ６２８で、ＤＣＩトリガがグループグラントにおいて受信されるとき、ＵＥは、後続のサブフレーム中でＰＵＣＣＨにおいてＵＣＩを送信し得る。たとえば、図４を参照すると、ＤＣＩトリガ４１４がＤＣＩフォーマットｍによって搬送され、ＰＵＳＣＨグラント４２０なしで受信される場合、ＵＥ４０８は、より上位のレイヤパラメータからのシグナリングに基づいて、または、やはりＤＣＩトリガ４１４を受信したグループ中の先行するＵＥ（たとえば、グループ中のアクティブなＵＥ）の数、およびインデックスでの位置に基づいて、ＵＣＩ４１８を送信すべきＰＵＣＣＨ中の特定のリソースを決定し得る４１６。
【００７９】
[0090]図６ＣにおけるパスＥに移ると、ステップ６３０で、ＵＥは、ＰＵＳＣＨグラントを受信し、ＵＥグループグラントにおいてＤＣＩトリガを受信し得る。たとえば、図４を参照すると、ＵＥ４０８は、ＰＵＳＣＨグラント４２０を、およびｅＮＢ４０４からＤＣＩフォーマットｍでＤＣＩトリガ４１４を受信し得る。
【００８０】
[0091]パスＥのステップ６３２で、ＰＵＳＣＨグラントが受信され、ＤＣＩがＵＥグループグラントにおいて受信されるとき、ＵＥは、後続のサブフレーム中でＰＵＣＣＨまたはＰＵＳＣＨにおいてＵＣＩを送信し得る。たとえば、図４を参照すると、ＵＥ４０８は、より上位のレイヤパラメータに基づいて、ＰＵＣＣＨにおいて送信すること、またはＰＵＳＣＨにおいて送信することの間から選択し得る。
【００８１】
[0092]図７は、ワイヤレス通信の第１の方法のフローチャート７００である。方法は、ｅＮＢ１０２、３１０、４０４のようなｅＮＢ／基地局によって実行され得る。
【００８２】
[0093]ステップ７０２で、ｅＮＢは、ＤＣＩトリガを含むように１つまたは複数のサブフレームを設定し得る。たとえば、図４を参照すると、ｅＮＢ、たとえば、４０４は、ある特定のＤＬサブフレーム中のＤＣＩトリガ４１４を送信するように、より上位のレイヤパラメータ（たとえば、ＲＲＣサブレイヤ）によって設定され得る４２８。より上位のレイヤパラメータはまた、ＤＣＩフォーマット０、１Ａ、４、および／またはｍのうちの１つまたは複数でＤＣＩトリガ４１４を送信するようにｅＮＢ４０４を設定し得る。
【００８３】
[0094]ステップ７０４で、ｅＮＢは、１つまたは複数のサブフレーム中のＤＣＩトリガを送信し得る。たとえば、図４を参照すると、ｅＮＢ４０４は、ＤＬサブフレーム中のＤＣＩトリガ４１４を送信し得る。ＤＣＩトリガ４１４は、Ａ−ＣＳＩおよび／またはＧＡＣＫのためのものであり得る。
【００８４】
[0095]ステップ７０６で、ｅＮＢは、後続のサブフレーム中でＵＣＩを受信し得る。ＵＣＩは、たとえば、ＧＡＣＫおよび／またはＡ−ＣＳＩを含み得る。たとえば、図４を参照すると、ｅＮＢ４０４は、ＤＣＩトリガ４１４に応答したＵＥ４０８へのＵＣＩ４１８を受信し得る。ＵＣＩ４１８を送信する際に使用されるＵＬサブフレームおよびリソースは、たとえば、ＨＡＲＱタイミング、ＵＬタイミングによって設定され得る、および／またはより上位のレイヤパラメータによって設定され得る。
【００８５】
[0096]図８Ａ〜８Ｃは、ワイヤレス通信の第１の方法のフローチャート８００を例示する。方法は、ｅＮＢ１０２、３１０、４０４のようなｅＮＢ／基地局によって実行され得る。破線で示されている動作は、本開示の様々な態様のための諸動作を表すことは理解されるべきである。
【００８６】
[0097]図８Ａで例示されるように、ステップ８０２で、ｅＮＢは、ＤＣＩトリガを含むように１つまたは複数のサブフレームを設定し得る。たとえば、図４を参照すると、ｅＮＢ４０４は、ある特定のＤＬサブフレーム中のＤＣＩトリガ４１４を送信するように、より上位のレイヤパラメータ（たとえば、ＲＲＣサブレイヤ）によって設定され得る４２８。より上位のレイヤパラメータはまた、ＤＣＩフォーマット０、１Ａ、４、および／またはｍのうちの１つまたは複数でＤＣＩトリガ４１４を送信するようにｅＮＢ４０４を設定し得る。
【００８７】
[0098]ステップ８０４で、ｅＮＢは、ＤＣＩトリガを送信し得る。たとえば、ｅＮＢは、パスＡによって例示されるように、ＰＵＳＣＨグラントにおいてＤＣＩトリガを送信し得る。代わりの例では、ｅＮＢは、パスＢによって例示されるように、ＰＤＳＣＨグラントにおいてＤＣＩトリガを送信し得る。さらなる代わりの例では、ｅＮＢは、パスＣによって例示されるように、ＰＤＳＣＨグラントにおいてＤＣＩトリガを送信し、また、ＰＵＳＣＨグラントを受信し得る。別の代わりの例では、ｅＮＢは、パスＤによって例示されるように、グループグラントにおいてＤＣＩトリガを送信し得る。また別の代わりの例では、ｅＮＢは、パスＥによって例示されるように、グループグラントにおいてＤＣＩトリガを送信し、また、ＰＵＳＣＨグラントを受信し得る。
【００８８】
[0099]引き続き図８Ａを参照すると、パスＡのステップ８０６で、ｅＮＢは、ＰＵＳＣＨグラントにおいてＤＣＩトリガを送信し得る。たとえば、図４を参照すると、ｅＮＢ４０４は、ＵＥ４０８に、ＤＬサブフレーム中でＤＣＩフォーマット０でＤＣＩトリガ４１４を送信し得る。ＤＣＩトリガ４１４は、Ａ−ＣＳＩおよび／またはＧＡＣＫのためのものであり得る。
【００８９】
[00100]パスＡのステップ８０８で、ＤＣＩトリガがＰＵＳＣＨグラントにおいて送信されるとき、ｅＮＢは、後続のサブフレーム中でＰＵＣＣＨ中の特定のリソースにおいてＵＣＩを受信し得る。たとえば、図４を参照すると、ｅＮＢ４０４は、ＵＬサブフレーム中でＰＵＣＣＨまたはｅＰＵＣＣＨ中の特定のリソースにおいてＵＣＩ４１８を受信し得る。たとえば、ＰＵＣＣＨ中の特定のリソースは、ＲＲＣサブレイヤからのシグナリングによって、ＤＬサブフレーム内部におけるＰＵＳＣＨグラントの位置（たとえば、ＰＤＣＣＨまたはｅＰＤＣＣＨにおけるＰＵＳＣＨグラントの位置）に基づいて、またはＤＣＩトリガ４１４における情報によって、決定され得る。
【００９０】
[00101]代わりとして、パスＡのステップ８１０で、ＤＣＩトリガがＰＵＳＣＨグラントにおいて送信されるとき、ｅＮＢは、後続のサブフレーム中でＰＵＳＣＨにおいてＵＣＩを受信し得る。たとえば、図４を参照すると、ｅＮＢ４０４は、ＵＬサブフレーム中でＰＵＳＣＨにおいてＵＣＩ４１８を受信し得る。たとえば、受信されたＵＣＩ４１８は、ＵＬサブフレーム中でＰＵＳＣＨにおいてデータで多重化され得る。
【００９１】
[00102]図８ＢにおけるパスＢに移ると、ステップ８１２で、ｅＮＢは、ＰＤＳＣＨグラントにおいてＤＣＩトリガを送信し得る。たとえば、図４を参照すると、ｅＮＢ４０４は、ＤＬサブフレーム中でＤＣＩフォーマット１でＤＣＩトリガ４１４を送信し得る。ＤＣＩトリガ４１４は、Ａ−ＣＳＩおよび／またはＧＡＣＫのためのものであり得る。
【００９２】
[00103]パスＢのステップ８１４で、ＤＣＩトリガがＰＤＳＣＨグラントにおいて送信されるとき、ｅＮＢは、後続のサブフレーム中でＰＵＣＣＨ中の特定のリソースにおいてＵＣＩを受信し得る。たとえば、図４を参照すると、ＰＵＳＣＨグラント４２０がまた、ｅＮＢ４０４によって送信されない場合、ｅＮＢ４０４は、ＵＬサブフレーム中でＰＵＣＣＨ中の特定のリソースにおいてＵＣＩ４１８を受信し得る。たとえば、ＰＵＣＣＨ中の特定のリソースは、ＲＲＣサブレイヤからのシグナリングに基づいて、ＤＬサブフレーム内部におけるＰＤＳＣＨグラントの位置（たとえば、ＰＤＣＣＨまたはｅＰＤＣＣＨにおけるＰＤＳＣＨグラントの位置）に基づいて、またはＤＣＩトリガ４１４における情報によって、決定され得る。
【００９３】
[00104]図８ＢにおけるパスＣに移ると、ステップ８１６で、ｅＮＢは、ＰＵＳＣＨグラントを送信し、ＰＤＳＣＨグラントにおいてＤＣＩトリガを送信し得る。たとえば、図４を参照すると、ｅＮＢ４０４は、ＰＵＳＣＨグラント４２０を送信し、ＤＬサブフレーム中でＰＤＳＣＨグラントにおいてＤＣＩフォーマット１ＡでＤＣＩトリガ４１４を送信し得る。
【００９４】
[00105]パスＣのステップ８１８で、ＰＵＳＣＨグラントが送信され、ＤＣＩトリガがＰＤＳＣＨグラントにおいて送信されるとき、ｅＮＢは、後続のサブフレーム中でＰＵＣＣＨ中の特定のリソースにおいてＵＣＩを受信し得る。たとえば、図４を参照すると、ＰＵＳＣＨグラント４２０がまた、ｅＮＢ４０４によって送信される場合、ｅＮＢ４０４は、ＰＵＣＣＨにおいてＵＣＩ４１８を受信し得る。ＵＣＩ４１８が受信されるＰＵＣＣＨ中の特定のリソースは、ＲＲＣサブレイヤからのシグナリングによって、ＤＬサブフレーム内部におけるＰＤＳＣＨグラントの位置（たとえば、ＰＤＣＣＨまたはｅＰＤＣＣＨにおけるＰＤＳＣＨグラントの位置）に基づいて、またはＤＣＩトリガ４１４における情報によって、決定され得る。
【００９５】
[00106]代わりとして、パスＣのステップ８２０で、ｅＮＢは、後続のサブフレーム中でＰＵＳＣＨにおいてＵＣＩを受信し得、ＰＵＳＣＨグラントが送信され、ＤＣＩトリガがＰＤＳＣＨグラントにおいて送信される。たとえば、図４を参照すると、ＰＵＳＣＨグラント４２０がまた、ｅＮＢ４０４によって送信される場合、ｅＮＢ４０４は、ＰＵＳＣＨにおいてＵＣＩ４１８を受信し得る。ＵＣＩ４１８は、ＵＬサブフレーム中でデータで多重化され得る。
【００９６】
[00107]図８ＣにおけるパスＤに移ると、ステップ８２２で、ｅＮＢは、グループ中のＵＥのインデックスを含むＵＥグループグラントにおいてＤＣＩトリガを送信し得る。たとえば、図４を参照すると、ｅＮＢ４０４は、ＵＥグループグラントにおいてＤＣＩフォーマットｍでＤＣＩトリガ４１４を送信し得る。グループグラントは、ＤＣＩフォーマットｍでＤＣＩトリガ４１４を受信する複数のＵＥのインデックスを含み得る。加えて、ｅＮＢ４０４は、ＵＥ４０８にＳＰＳ情報４２４を、およびＤＣＩフォーマットｍでＤＣＩトリガ４１４を送信し得る。
【００９７】
[00108]パスＤのステップ８２４で、ＤＣＩトリガがグループグラントにおいて送信されるとき、ｅＮＢは、後続のサブフレーム中でＰＵＣＣＨ中の特定のリソースにおいてＵＣＩを受信し得る。たとえば、図４を参照すると、ＤＣＩトリガ４１４がＤＣＩフォーマットｍでＵＥ４０８に送信され得、ＰＵＳＣＨグラント４２０が送信されない場合、ＵＣＩ４１８が送信されるＰＵＣＣＨ中の特定のリソースは、より上位のレイヤパラメータからのシグナリングに基づいて、または、やはりＤＣＩトリガ４１４を受信したグループ中の先行するＵＥ（たとえば、グループ中のアクティブなＵＥ）の数およびインデックスでのそれ自体の位置に基づいて、決定され得る。加えて、引き続き図４を参照すると、図４を参照すると、ＵＥ４０８は、グループ中のどのＵＥがＤＣＩトリガ４１４を受信したかを決定するために、ＵＥグループグラントにおける全てのフィールドにアクセスし得る。たとえば、ＵＥ４０８がグループにおいて３のインデックスを有し、ＵＥ１がトリガリングされず、ＵＥ２がトリガリングされる場合、ＵＥ４０８は、２のインデックスを持つリソースにおいてＵＣＩ４１８を送信し得る。代わりとして、ｅＮＢ４０４がＵＥ４０８にＳＰＳ情報４２４を送信する場合、ＵＥ４０８は、ｅＮＢ４０４からＰＵＳＣＨグラント４２０を受信しても、受信しなくても、ＵＬサブフレーム中でＰＵＳＣＨにおいてＵＣＩ４１８を含み得る。ここで、ＵＣＩ４１８は、データで多重化され、ＵＬサブフレーム中でＰＵＳＣＨにおいて送信され得る。
【００９８】
[00109]図８ＣにおけるパスＥに移ると、ステップ８２６で、ｅＮＢは、ＰＵＳＣＨグラントを送信し、ＵＥグループグラントにおいてＤＣＩトリガを送信し得る。たとえば、図４を参照すると、ｅＮＢ４０４は、ＰＵＳＣＨグラント４２０を送信し、ＤＣＩフォーマットｍでＤＣＩトリガ４１４を送信し得る。
【００９９】
[00110]パスＥのステップ８２８で、ｅＮＢは、後続のサブフレーム中でＰＵＳＣＨにおいてＵＣＩを受信し得る。たとえば、図４を参照すると、ＵＥ４０８は、より上位のレイヤパラメータに基づいて、ｅＮＢ４０４に、ＰＵＣＣＨにおいて送信すること、またはＰＵＳＣＨにおいて送信することの間から選択し得る。
【０１００】
[00111]図９は、例示的な装置９０２における異なる手段／コンポーネント間のデータフローを例示する概念上のデータフロー図１２００である。装置は、ＵＥ１０４、３５０、４０８のようなＵＥであり得る。装置は、ｅＮＢ９５０から通信を受信する受信コンポーネント９０４を含む。受信された通信は、たとえば、サブフレーム中のＤＣＩトリガ、ＰＵＳＣＨグラントにおけるＤＣＩトリガ、ＰＤＳＣＨグラントにおけるＤＣＩトリガ、および／またはグループ中の複数のＵＥのインデックスを含むＵＥグループグラントにおけるＤＣＩトリガを含み得る。受信コンポーネント９０４はまた、ＤＣＩトリガについて監視するための監視コンポーネント９０６にＤＬ信号９１４を送る。監視コンポーネント９０６は、受信コンポーネント９０４によって送られたＤＬ信号９１４を監視することによって、ＤＣＩトリガについて１つまたは複数のＤＬサブフレームを監視する。ＤＣＩトリガが受信されない場合、ＤＣＩトリガに関連する信号９１８が、監視コンポーネント９０６によって設定コンポーネント（configuration component）９１０に送られ得る。
【０１０１】
[00112]ＤＣＩトリガがＵＥグループグラントにおいて受信される場合、ＤＣＩトリガ／ＵＥグループグラントに関連する情報を含む信号９１６が、ＤＣＩトリガを復号することによって、やはりＤＣＩトリガを受信したグループ中の先行するＵＥの数を決定する決定コンポーネント９０８に送られ得る。決定コンポーネント９０８はまた、やはりＤＣＩトリガを受信したグループ中の先行するＵＥの数およびインデックスでの位置に基づいて、ＵＣＩを送信すべき後続のサブフレーム中の特定のリソースを決定し得る。ＤＣＩトリガ／ＵＥグループグラントに関連する信号９２０はその後、設定（configuration）のために、監視コンポーネント９０６から設定コンポーネント９１０に送られ得る。
【０１０２】
[00113]ＤＣＩトリガが、ＰＵＳＣＨグラントまたはＰＤＳＣＨグラントにおいて受信される場合、信号９２０は、ＲＲＣシグナリングによってＵＣＩを送信するようにＰＵＣＣＨ中の特定のリソースを設定する設定コンポーネント９１０に送られ得る。たとえば、特定のリソースは、ＤＬサブフレーム内部におけるＰＤＳＣＨグラントの位置（たとえば、ＰＤＣＣＨまたはｅＰＤＣＣＨにおけるＰＤＳＣＨグラントの位置）に基づいて、ＵＥグループグラントにおけるＤＣＩトリガの位置によって、またはＤＣＩトリガによって、設定コンポーネント９１０によって設定され得る。
【０１０３】
[00114]設定コンポーネント９１０は、送信コンポーネント９１２に、設定されたＵＣＩに関連する情報を含む信号９２２を送り得る。送信コンポーネント９１２は、後続のサブフレーム中でＰＵＣＣＨ中の特定のリソースを使用してｅＮＢにＵＣＩを送信し得る、後続のサブフレーム中でＰＵＳＣＨにおいてＵＣＩを送信し得る、後続のサブフレーム中でＰＵＣＣＨまたはＰＵＳＣＨにおいてＵＣＩを送信し得る、および／またはＰＵＳＣＨグラントを受信することなしに後続サブフレーム中でＰＵＳＣＨにおいてＵＣＩを送信し得る。
【０１０４】
[00115]装置は、図５および図６Ａ〜６Ｃの上述のフローチャートにおけるアルゴリズムのブロックの各々を実行する追加のコンポーネントを含み得る。このように、図５および図６Ａ〜６Ｃの上述のフローチャートにおける各ブロックは、あるコンポーネントによって実行され得、装置は、それらのコンポーネントのうちの１つまたは複数を含み得る。コンポーネントは、述べられたプロセス／アルゴリズムを行うように特に構成されるか、述べられたプロセス／アルゴリズムを実行するように構成されたプロセッサによってインプリメントされるか、プロセッサによるインプリメンテーションのためにコンピュータ可読媒体内に記憶されるか、またはそれらの何らかの組合せの、１つまたは複数のハードウェアコンポーネントであり得る。
【０１０５】
[00116]図１０は、処理システム１０１４を採用する装置９０２’のためのハードウェアインプリメンテーションの例を例示する図１０００である。処理システム１０１４は、バス１０２４によって一般に表されるバスアーキテクチャでインプリメントされ得る。バス１０２４は、処理システム１０１４の特定のアプリケーションおよび全体の設計制約に応じて、任意の数の相互接続バスおよびブリッジを含み得る。バス１０２４は、プロセッサ１００４、コンポーネント９０４、９０６、９０８、９１０、９１２、およびコンピュータ可読媒体／メモリ１００６によって表される、１つまたは複数のプロセッサおよび／またはハードウェアコンポーネントを含む様々な回路を互いにリンクさせる。バス１０２４はまた、タイミングソース、周辺機器、電圧レギュレータ、および電力管理回路のような様々な他の回路をリンクさせ得るが、これらは当該技術分野では周知であり、したがって、これ以上は説明されない。
【０１０６】
[00117]処理システム１０１４は、トランシーバ１０１０に結合され得る。トランシーバ１０１０は、１つまたは複数のアンテナ１０２０に結合される。トランシーバ１０１０は、送信媒体を介して様々な他の装置と通信するための手段を提供する。トランシーバ１０１０は、１つまたは複数のアンテナ１０２０から信号を受信し、該受信された信号から情報を抽出し、該抽出された情報を、処理システム１０１４、特に受信コンポーネント９０６に提供する。加えて、トランシーバ１０１０は、処理システム１０１４、特に送信コンポーネント９１２から情報を受信し、該受信された情報に基づいて、１つまたは複数のアンテナ１０２０に適用されるべき信号を生成する。処理システム１０１４は、コンピュータ可読媒体／メモリ１００６に結合されたプロセッサ１００４を含む。プロセッサ１００４は、コンピュータ可読媒体／メモリ１００６上に記憶されたソフトウェアの実行を含む一般的な処理を担う。ソフトウェアは、プロセッサ１００４によって実行されるとき、処理システム１０１４に、いずれかの特定の装置に関して上で説明された様々な機能を実行させる。コンピュータ可読媒体／メモリ１００６はまた、ソフトウェアを実行するときにプロセッサ１００４によって操作されるデータを記憶するためにも使用され得る。処理システム１０１４はさらに、コンポーネント９０４、９０６、９０８、９１０、および９１２のうちの少なくとも１つを含む。コンポーネントは、プロセッサ１００４において稼働し、コンピュータ可読媒体／メモリ１００６に内在する／記憶されたソフトウェアコンポーネント、プロセッサ１００４に結合された１つまたは複数のハードウェアコンポーネント、またはそれらの何らかの組合せであり得る。処理システム１０１４は、ＵＥ３５０のコンポーネントであり得、メモリ３６０ならびに／あるいは、ＴＸプロセッサ３６８、ＲＸプロセッサ３５６、およびコントローラ／プロセッサ３５９のうちの少なくとも１つを含み得る。
【０１０７】
[00118]一構成では、ワイヤレス通信のための装置９０２／９０２’は、ＤＣＩトリガについて１つまたは複数のサブフレームを監視するための手段を含む。一態様では、ワイヤレス通信のための装置９０２／９０２’は、サブフレーム中のＤＣＩトリガを受信するための手段を含む。別の態様では、ワイヤレス通信のための装置９０２／９０２’は、後続のサブフレームを使用してＵＣＩを送信するための手段を含む。さらなる態様では、ワイヤレス通信のための装置９０２／９０２’は、ＰＵＳＣＨグラントにおいてＤＣＩトリガを受信するための手段を含み得る。また別の態様では、ワイヤレス通信のための装置９０２／９０２’は、ＤＣＩトリガがＰＵＳＣＨグラントにおいて受信されるとき、後続のサブフレーム中でＰＵＣＣＨ中の特定のリソースを使用してＵＣＩを送信するための手段を含み得る。さらに別の態様では、ワイヤレス通信のための装置９０２／９０２’は、ＤＣＩがＰＵＳＣＨグラントにおいて受信されるとき、後続のサブフレーム中でＰＵＳＣＨにおいてＵＣＩを送信するための手段を含み得る。またさらなる態様では、ワイヤレス通信のための装置９０２／９０２’は、ＰＤＳＣＨグラントにおいてＤＣＩトリガを受信するための手段を含み得る。またさらに、ワイヤレス通信のための装置９０２／９０２’は、ＤＣＩトリガがＰＤＳＣＨグラントにおいて受信されるとき、後続のサブフレーム中でＰＵＣＣＨ中の特定のリソースを使用してＵＣＩを送信するための手段を含み得る。さらにまた、ワイヤレス通信のための装置９０２／９０２’は、ＰＵＳＣＨグラントを受信するための手段を含み、ＰＤＳＣＨグラントにおいてＤＣＩトリガを受信し得る。別の態様では、ワイヤレス通信のための装置９０２／９０２’は、ＤＣＩトリガがＰＤＳＣＨグラントにおいて受信され、ＰＵＳＣＨグラントが受信されるとき、後続のサブフレーム中でＰＵＣＣＨ中の特定のリソースを使用してＵＣＩを送信するための手段を含み得る。さらなる態様では、ワイヤレス通信のための装置９０２／９０２’は、ＤＣＩトリガがＰＤＳＣＨグラントにおいて受信され、ＰＵＳＣＨグラントが受信されるとき、後続のサブフレーム中でＰＵＳＣＨにおいてＵＣＩを送信するための手段を含み得る。さらにまた、ワイヤレス通信のための装置９０２／９０２’は、グループ中の複数のＵＥのインデックスを含むグループグラントにおいてＤＣＩトリガを受信するための手段を含み得る。さらなる態様では、ワイヤレス通信のための装置９０２／９０２’は、ＤＣＩトリガがグループグラントにおいて受信されるとき、後続のサブフレーム中でＰＵＣＣＨにおいてＵＣＩを送信するための手段を含み得る。またさらに、ワイヤレス通信のための装置９０２／９０２’は、ＤＣＩトリガを復号することによって、やはりＤＣＩトリガを受信したグループ中の先行するＵＥの数を決定するための手段を含み得る。また別の態様では、ワイヤレス通信のための装置９０２／９０２’は、やはりＤＣＩトリガを受信したグループ中の先行するＵＥの数およびインデックスでの位置に基づいて、ＵＣＩを送信すべき後続のサブフレーム中の特定のリソースを決定するための手段を含み得る。またさらなる態様では、ワイヤレス通信のた��の装置９０２／９０２’は、ＰＵＳＣＨグラントを受信するための手段、およびＵＥグループグラントにおいてＤＣＩトリガを受信するための手段を含み得る。別の態様では、ワイヤレス通信のための装置９０２／９０２’は、ＰＵＳＣＨグラントが受信され、ＤＣＩがＵＥグループグラントにおいて受信されるとき、後続のサブフレーム中でＰＵＣＣＨまたはＰＵＳＣＨにおいて、ＵＣＩを送信するための手段を含み得る。別の態様では、ワイヤレス通信のための装置９０２／９０２’は、ＰＵＳＣＨグラントを受信することなしにＤＣＩトリガがＵＥグループグラントにおいて受信されるとき、後続のサブフレーム中でＰＵＳＣＨにおいてＵＣＩを送信するための手段を含み得る。上述の手段は、上述の手段によって記載された機能を実行するように構成された、装置９０２’の処理システム１０１４および／または装置９０２の上述のコンポーネントのうちの１つまたは複数であり得る。上で説明されたように、処理システム１０１４は、ＴＸプロセッサ６６８、ＲＸプロセッサ３５６、およびコントローラ／プロセッサ３５９を含み得る。このように、一構成では、上述の手段は、上述の手段によって記載された機能を実行するように構成されたＴＸプロセッサ３６８、ＲＸプロセッサ３５６、およびコントローラ／プロセッサ３５９であり得る。
【０１０８】
[00119]図１１は、例示的な装置１１０２における異なる手段／コンポーネント間のデータフローを例示する概念上のデータフロー図１１００である。装置は、ｅＮＢ１０２、３１０、４０４のようなｅＮＢであり得る。装置は、ＤＣＩトリガを含むように１つまたは複数のサブフレームを設定する設定コンポーネント１１０４を含み得る。設定コンポーネント１１０４は、送信コンポーネントに１１０６にサブフレーム設定情報１１１２を送り得る。送信コンポーネント１１０６は、少なくとも１つのＵＥ１１５０にＤＣＩトリガを送信し得る。たとえば、送信コンポーネント１１０６は、１つまたは複数のサブフレーム中のＤＣＩトリガを送信し得る、ＰＵＳＣＨグラントにおいてＤＣＩトリガを送信し得る、ＰＤＳＣＨグラントにおいてＤＣＩトリガを送信し得る、ＰＵＳＣＨグラントを送信し得る、および／またはグループ中のＵＥのインデックスを含むＵＥグループグラントにおいてＤＣＩトリガを送信し得る。
【０１０９】
[00120]受信コンポーネント１１０８は、後続のサブフレーム中でＵＣＩを受信し得、後続サブフレーム中でＰＵＣＣＨ中の特定のリソースにおいてＵＣＩを受信し得、後続のサブフレーム中でＰＵＳＣＨにおいてＵＣＩを受信し得、および／または後続のサブフレーム中でＰＵＣＣＨ中の特定のリソースにおいてＵＣＩを受信し得る。受信コンポーネント１１０８は、決定コンポーネント１１１０に、ＵＣＩに関連する情報１１１１を送り得る。
【０１１０】
[00121]決定コンポーネント１１１０は、ＵＥ１１５０送られた送信が、受信されたＵＣＩに関する情報１１１１に基づいて繰り返される必要があるかどうかを決定し得る。送信が繰り返される必要があることを決定コンポーネント１１１０が決定する場合、情報１１１６は送信コンポーネント１１０６に送られ得、それはＵＥ１１５０にデータおよび／またはＤＣＩトリガを再送信し得る。
【０１１１】
[00122]装置は、図７および図８Ａ〜８Ｃの上述のフローチャートにおけるアルゴリズムのブロックの各々を実行する追加のコンポーネントを含み得る。このように、図７および図８Ａ〜８Ｃの上述のフローチャートにおける各ブロックは、あるコンポーネントによって実行され得、装置は、それらのコンポーネントのうちの１つまたは複数を含み得る。コンポーネントは、述べられたプロセス／アルゴリズムを行うように特に構成されるか、述べられたプロセス／アルゴリズムを実行するように構成されたプロセッサによってインプリメントされるか、プロセッサによるインプリメンテーションのためにコンピュータ可読媒体内に記憶されるか、またはそれらの何らかの組合せの、１つまたは複数のハードウェアコンポーネントであり得る。
【０１１２】
[00123]図１２は、処理システム１２１４を採用する装置１１０２’のためのハードウェアインプリメンテーションの例を例示する図１２００である。処理システム１２１４は、バス１２２４によって一般に表されるバスアーキテクチャでインプリメントされ得る。バス１２２４は、処理システム１２１４の特定のアプリケーションおよび全体の設計制約に依存して、任意の数の相互接続バスおよびブリッジを含み得る。バス１２２４は、プロセッサ１２０４、コンポーネント１１０４、１１０６、１１０８、１１１０、およびコンピュータ可読媒体／メモリ１２０６によって表される１つまたは複数のプロセッサおよび／またはハードウェアモジュールを含む様々な回路を互いにリンクさせる。バス１２２４はまた、タイミングソース、周辺機器、電圧レギュレータ、および電力管理回路のような様々な他の回路をリンクさせ得るが、これらは当該技術分野では周知であり、したがって、これ以上は説明されない。
【０１１３】
[00124]処理システム１２１４は、トランシーバ１２１０に結合され得る。トランシーバ１２１０は、１つまたは複数のアンテナ１２２０に結合される。トランシーバ１２１０は、送信媒体を介して様々な他の装置と通信するための手段を提供する。トランシーバ１２１０は、１つまたは複数のアンテナ１２２０から信号を受信し、該受信された信号から情報を抽出し、該抽出された情報を、処理システム１２１４、特に受信コンポーネント１１０８に提供する。加えて、トランシーバ１２１０は、処理システム１２１４、特に送信コンポーネント１１０６から情報を受信し、該受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６上に記憶されたソフトウェアの実行を含む一般的な処理を担う。ソフトウェアは、プロセッサ１２０４によって実行されるとき、処理システム１２１４に、いずれかの特定の装置に関して上で説明された様々な機能を実行させる。コンピュータ可読媒体／メモリ１２０６はまた、ソフトウェアを実行するときにプロセッサ１２０４によって操作されるデータを記憶するためにも使用され得る。処理システム１２１４はさらに、コンポーネント１１０４、１１０６、１１０８、１１１０のうちの少なくとも１つを含む。コンポーネントは、プロセッサ１２０４において稼働し、コンピュータ可読媒体／メモリ１２０６に内在する／記憶されたソフトウェアコンポーネント、プロセッサ１２０４に結合された１つまたは複数のハードウェアコンポーネント、またはそれらの何らかの組合せであり得る。処理システム１２１４は、ｅＮＢ３１０のコンポーネントであり得、メモリ３７６および／またはＴＸプロセッサ３１６、ＲＸプロセッサ３７０、およびコントローラ／プロセッサ３７５のうちの少なくとも１つを含み得る。
【０１１４】
[00125]一構成では、ワイヤレス通信のための装置１１０２／１１０２’は、ＤＣＩトリガを含むように１つまたは複数のサブフレームを設定するための手段を含む。別の態様では、ワイヤレス通信のための装置１１０２／１１０２’は、１つまたは複数のサブフレーム中のＤＣＩトリガを送信するための手段を含む。さらなる態様では、ワイヤレス通信のための装置１１０２／１１０２’は、後続のサブフレーム中でＵＣＩを受信するための手段を含む。また別の態様では、ワイヤレス通信のための装置１１０２／１１０２’は、ＰＵＳＣＨグラントにおいてＤＣＩトリガを送信するための手段を含み得る。またさらに、ワイヤレス通信のための装置１１０２／１１０２’は、ＤＣＩトリガがＰＵＳＣＨグラントにおいて送信されるとき、後続のサブフレーム中でＰＵＣＣＨ中の特定のリソースにおいてＵＣＩを受信するための手段を含み得る。またさらなる態様では、ワイヤレス通信のための装置１１０２／１１０２’は、ＤＣＩトリガがＰＵＳＣＨグラントにおいて送信されるとき、後続のサブフレーム中でＰＵＳＣＨにおいてＵＣＩを受信するための手段を含み得る。さらにまた、ワイヤレス通信のための装置１１０２／１１０２’は、ＰＤＳＣＨグラントにおいてＤＣＩトリガを送信するための手段を含み得る。また別の態様では、ワイヤレス通信のための装置１１０２／１１０２’は、ＤＣＩトリガがＰＤＳＣＨグラントにおいて送信されるとき、後続のサブフレーム中でＰＵＣＣＨ中の特定のリソースにおいてＵＣＩを受信するための手段を含み得る。またさらなる態様では、ワイヤレス通信のための装置１１０２／１１０２’は、ＰＵＳＣＨグラントを送信するための手段を含み、ＰＤＳＣＨグラントにおいてＤＣＩトリガを送信し得る。また別の態様では、ワイヤレス通信のための装置１１０２／１１０２’は、ＰＵＳＣＨグラントが送信され、ＤＣＩトリガがＰＤＳＣＨグラントにおいて送信されるとき、後続のサブフレーム中でＰＵＣＣＨ中の特定のリソースにおいてＵＣＩを受信するための手段を含み得る。またさらに、ワイヤレス通信のための装置１１０２／１１０２’は、ＰＵＳＣＨグラントが送信され、ＤＣＩトリガがＰＤＳＣＨグラントにおいて送信されるとき、後続のサブフレーム中でＰＵＳＣＨにおいてＵＣＩを受信するための手段を含み得る。また別の態様では、ワイヤレス通信のための装置１１０２／１１０２’は、グループ中のＵＥのインデックスを含むＵＥグループグラントにおいてＤＣＩトリガを送信するための手段を含み得る。さらなる態様では、ワイヤレス通信のための装置１１０２／１１０２’は、ＤＣＩトリガがグループグラントにおいて送信されるとき、後続のサブフレーム中でＰＵＣＣＨ中の特定のリソースにおいてＵＣＩを受信するための手段を含み得る。別の態様では、ワイヤレス通信のための装置１１０２／１１０２’は、ＤＣＩトリガがグループグラントにおいて送信されるとき、やはりＤＣＩトリガを受信したグループ中の先行するＵＥの数およびグループ中のＵＥのインデックスによって設定された後続のサブフレーム中の特定のリソースにおいてＵＣＩを受信するための手段を含み得る。またさらに、ワイヤレス通信のための装置１１０２／１１０２’は、��ＵＳＣＨグラントを送信するための手段を含み、ＵＥグループグラントにおいてＤＣＩトリガを送信し得る。また別の態様では、ワイヤレス通信のための装置１１０２／１１０２’は、後続のサブフレーム中でＰＵＳＣＨにおいてＵＣＩを受信するための手段を含み得る。さらなる態様では、ワイヤレス通信のための装置１１０２／１１０２’は、ＵＥグループグラントにおいてＤＣＩトリガを送信するための手段を含み得る。またさらに、ワイヤレス通信のための装置１１０２／１１０２’は、ＰＵＳＣＨグラントを送信することなしにＤＣＩトリガがＵＥグループグラントにおいて送信されるとき、ＰＵＳＣＨにおいてＵＣＩを受信するための手段を含み得る。上述の手段は、上述の手段によって記載された機能を実行するように構成された、装置１１０２’の処理システム１２１４および／または装置１１０２の上述のコンポーネントのうちの１つまたは複数であり得る。上で説明されたように、処理システム１２１４は、ＴＸプロセッサ３１６、ＲＸプロセッサ３７０、およびコントローラ／プロセッサ３７５を含み得る。このように、一構成では、上述の手段は、上述の手段によって記載された機能を実行するよう構成されたＴＸプロセッサ３１６、ＲＸプロセッサ３７０、およびコントローラ／プロセッサ３７５であり得る。
【０１１５】
[00126]開示された処理／フローチャートにおけるブロックの特定の順序または階層が、例示的なアプローチの一例であることが理解される。設計選好に基づいて、プロセス／フローチャートにおけるブロックの特定の順序または階層が並び替えられ得ることは理解される。さらに、いくつかのブロックが組み合わされ得る、または省略され得る。添付の方法クレームは、サンプルの順序で様々なブロックの要素を提示しており、提示された特定の順序または階層に限定されることを意図したものではない。
【０１１６】
[00127]先の説明は、いずれの当業者も本明細書で説明されている様々な態様を実施することを可能とするように提供される。これらの態様への様々な変更は当業者には容易に明らかであり得、本明細書で定義されている包括的な原理は他の態様に適用され得る。したがって、請求項は、本明細書で図示されている態様を限定するように意図されておらず、請求項の記載と一貫した最大範囲を付与されるべきであり、ここにおいて単数での要素への参照は、そのように特別に述べられていない限り、「１つおよび１つだけ」を意味するのではなく、むしろ「１つまたは複数」を意味するように意図されている。「例となる」という言葉は、「例、事例、または例示としての役目をする」を意味するように本明細書では使用されている。「例となる」として本明細書で説明されているあらゆる態様は、必ずしも、他の態様よりも好まれる、または有利であると解釈されるべきではない。別の形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、またはＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または、複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、またはＣのうちの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１または複数のメンバを含み得る。当業者に既知、もしくはいずれ既知となる本開示全体を通じて説明される様々な態様の要素に対する全ての構造的および機能的な均等物が、参照によって請求項に明示的に組み込まれ、請求項によって包含されるように意図されている。さらに、本明細書で開示されたいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。このように、どのクレーム要素も、該要素が「のための手段」というフレーズを使用して明示的に記載されていない限り、ミーンズプラスファンクションとして解釈されるべきではない。
【図１】
2019146182.tif 000004
【図２Ａ】
2019146182.tif 000005
【図２Ｂ】
2019146182.tif 000006
【図２Ｃ】
2019146182.tif 000007
【図２Ｄ】
2019146182.tif 000008
【図３】
2019146182.tif 000009
【図４】
2019146182.tif 000010
【図５】
2019146182.tif 000011
【図６Ａ】
2019146182.tif 000012
【図６Ｂ】
2019146182.tif 000013
【図６Ｃ】
2019146182.tif 000014
【図７】
2019146182.tif 000015
【図８Ａ】
2019146182.tif 000016
【図８Ｂ】
2019146182.tif 000017
【図８Ｃ】
2019146182.tif 000018
【図９】
2019146182.tif 000019
【図１０】
2019146182.tif 000020
【図１１】
2019146182.tif 000021
【図１２】
2019146182.tif 000022
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を備える、方法。
【手続補正２】
【補正対象書類名】明細書
【補正対象項目名】０１１６
【補正方法】変更
【補正の内容】
【０１１６】
[00127]先の説明は、いずれの当業者も本明細書で説明されている様々な態様を実施することを可能とするように提供される。これらの態様への様々な変更は当業者には容易に明らかであり得、本明細書で定義されている包括的な原理は他の態様に適用され得る。したがって、請求項は、本明細書で図示されている態様を限定するように意図されておらず、請求項の記載と一貫した最大範囲を付与されるべきであり、ここにおいて単数での要素への参照は、そのように特別に述べられていない限り、「１つおよび１つだけ」を意味するのではなく、むしろ「１つまたは複数」を意味するように意図されている。「例となる」という言葉は、「例、事例、または例示としての役目をする」を意味するように本明細書では使用されている。「例となる」として本明細書で説明されているあらゆる態様は、必ずしも、他の態様よりも好まれる、または有利であると解釈されるべきではない。別の形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、またはＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または、複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、またはＣのうちの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１または複数のメンバを含み得る。当業者に既知、もしくはいずれ既知となる本開示全体を通じて説明される様々な態様の要素に対する全ての構造的および機能的な均等物が、参照によって請求項に明示的に組み込まれ、請求項によって包含されるように意図されている。さらに、本明細書で開示されたいずれも、こうした開示が請求項において明示的に記載されているかどうかにかかわらず、公衆に献呈することは意図されていない。「モジュール」、「メカニズム」、「要素」、「デバイス」等という言葉は、「手段」という言葉に対する代替でないことがある。このように、どのクレーム要素も、該要素が「のための手段」というフレーズを使用して明示的に記載されていない限り、ミーンズプラスファンクションとして解釈されるべきではない。
以下に本願の出願当初の特許請求の範囲に記載された発明を付記する。
［Ｃ１］
ユーザ機器（ＵＥ）のワイヤレス通信の方法であって、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を備える、方法。
［Ｃ２］
前記ＤＣＩトリガは、物理アップリンク共有チャネル（ＰＵＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
Ｃ１に記載の方法。
［Ｃ３］
前記ＤＣＩトリガは、物理アップリンク共有チャネル（ＰＵＳＣＨ）グラントにおいて受信され、
前記ＵＣＩを前記送信することは、前記後続のサブフレーム中でＰＵＳＣＨ中に前記ＵＣＩを含めることを備える、
Ｃ１に記載の方法。
［Ｃ４］
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ１に記載の方法。
［Ｃ５］
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ１に記載の方法。
［Ｃ６］
物理アップリンク共有チャネル（ＰＵＳＣＨ）グラントを受信することをさらに備え、
前記ＤＣＩトリガは、物理ダウンリンク共有チャネル（ＰＤＳＣＨ）グラントにおいて受信され、
前記ＵＣＩを前記送信することは、前記後続のサブフレーム中でＰＵＳＣＨ中に前記ＵＣＩを含めることを備える、
Ｃ１に記載の方法。
［Ｃ７］
前記ＤＣＩトリガは、前記ＵＥグループ中の複数のＵＥのインデックスを含むＵＥグループグラントにおいて受信され、
前記ＵＣＩを前記送信することは、前記後続のサブフレーム中で物理アップリンク制御チャネル（ＰＵＣＣＨ）中の特定のリソースを使用して前記ＵＣＩを送信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
Ｃ１に記載の方法。
［Ｃ８］
前記ＤＣＩトリガは、前記ＵＥグループ中の複数のＵＥのインデックスを含むＵＥグループグラントにおいて受信され、前記方法は、
前記ＤＣＩトリガを復号することによって、やはり前記ＤＣＩトリガを受信した前記グループ中の先行するＵＥの数を決定することと、
やはり前記ＤＣＩトリガを受信した前記グループ中の先行するＵＥの前記数および前記インデックスでの位置に基づいて、前記ＵＣＩを送信すべき前記後続のサブフレーム中の特定のリソースを決定することと、
をさらに備える、Ｃ１に記載の方法。
［Ｃ９］
物理アップリンク共有チャネル（ＰＵＳＣＨ）グラントを受信することをさらに備え、
前記ＤＣＩトリガは、前記ＵＥグループ中の複数のＵＥのインデックスを含むＵＥグループグラントにおいて受信され、
前記ＵＣＩを前記送信することは、前記後続のサブフレーム中でＰＵＣＣＨまたはＰＵＳＣＨ中に前記ＵＣＩを含めることを備える、
Ｃ１に記載の方法。
［Ｃ１０］
前記ＤＣＩトリガは、前記ＵＥグループ中の複数のＵＥのインデックスを含むＵＥグループグラントにおいて受信され、
前記ＵＣＩを前記送信することは、ＰＵＳＣＨグラントを受信することなしに前記後続のサブフレーム中でＰＵＳＣＨ中に前記ＵＣＩを含めることを備える、
Ｃ１に記載の方法。
［Ｃ１１］
基地局のワイヤレス通信の方法であって、
ダウンリンク制御情報（ＤＣＩ）トリガを含むように１つまたは複数のサブフレームを設定することと、
前記１つまたは複数のサブフレーム中で前記ＤＣＩトリガを送信することと、
後続のサブフレーム中でアップリンク制御情報（ＵＣＩ）を受信することと、
を備える、方法。
［Ｃ１２］
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
Ｃ１１に記載の方法。
［Ｃ１３］
前記ＤＣＩトリガを前記送信することは、アップリンク共有チャネル（ＰＵＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
Ｃ１１に記載の方法。
［Ｃ１４］
前記ＤＣＩトリガを前記送信することは、物理ダウンリンク共有チャネル（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ１１に記載の方法。
［Ｃ１５］
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ１１に記載の方法。
［Ｃ１６］
物理アップリンク共有チャネル（ＰＵＳＣＨ）グラントを送信することをさらに備え、
前記ＤＣＩトリガを前記送信することは、物理ダウンリンク共有チャネルグラント（ＰＤＳＣＨ）グラントにおいて前記ＤＣＩトリガを送信することを備え、
前記ＵＣＩを前記受信することは、前記後続のサブフレーム中でＰＵＳＣＨにおいて前記ＵＣＩを受信することを備える、
Ｃ１１に記載の方法。
［Ｃ１７］
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中で物理アップリンク制御チャネル（ＰＵＣＣＨ）中の特定のリソースにおいて前記ＵＣＩを受信することを備え、
前記ＰＵＣＣＨ中の前記特定のリソースは、無線リソース制御（ＲＲＣ）シグナリングによって、前記ＵＥグループグラント中の前記ＤＣＩトリガの位置に基づいて、または前記ＤＣＩトリガによって、設定される、
Ｃ１１に記載の方法。
［Ｃ１８］
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中の特定のリソースにおいて前記ＵＣＩを受信することを備え、
前記特定のリソースは、やはり前記ＤＣＩトリガを受信した前記グループ中の先行するＵＥの数および前記グループ中のＵＥの前記インデックスによって設定される、
Ｃ１１に記載の方法。
［Ｃ１９］
物理アップリンク共有チャネル（ＰＵＳＣＨ）グラントを送信することをさらに備え、
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、前記後続のサブフレーム中でＰＵＳＣＨにおいて前記ＵＣＩを受信することを備える、
Ｃ１１に記載の方法。
［Ｃ２０］
前記ＤＣＩトリガを前記送信することは、前記ＵＥグループ中のＵＥのインデックスを含むＵＥグループグラントにおいて前記ＤＣＩトリガを送信することを備え、
前記ＵＣＩを前記受信することは、ＰＵＳＣＨグラントを送信することなしにＰＵＳＣＨにおいて前記ＵＣＩを受信することを備える、
Ｃ１１に記載の方法。
［Ｃ２１］
ワイヤレス通信のための装置であって、
メモリと、
前記メモリに結合された少なくとも１つのプロセッサと、を備え、前記少なくとも１つのプロセッサは、
ダウンリンク制御情報（ＤＣＩ）トリガについて１つまたは複数のサブフレームを監視することと、
サブフレーム中で前記ＤＣＩトリガを受信することと、
後続のサブフレームを使用してアップリンク制御情報（ＵＣＩ）を送信することと、
を行うように構成される、
装置。
［Ｃ２２］
前記ＤＣＩトリガは、物理アップリンク共有チャネル（ＰＵＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＵＳＣＨグラントの位置に基づいて、または前記ＤＣＩトリガによって、設定される、
Ｃ２１に記載の装置。
［Ｃ２３］
前記ＤＣＩトリガは、物理アップリンク共有チャネル（ＰＵＳＣＨ）グラントにおいて受信され、
前記少なくとも１つのプロセッサは、前記後続のサブフレーム中でＰＵＳＣＨ中に前記ＵＣＩを含めることによって前記ＵＣＩを送信するように構成される、
Ｃ２１に記載の装置。
［Ｃ２４］
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ２１に記載の装置。
［Ｃ２５］
少なくとも１つのプロセッサは、物理アップリンク共有チャネル（ＰＵＳＣＨ）グラントを受信するようにさらに構成され、
前記ＤＣＩトリガは、物理ダウンリンク共有チャネル（ＰＤＳＣＨ）グラントにおいて受信され、
前記少なくとも１つのプロセッサは、前記後続のサブフレーム中で物理アップリンク制御チャネル（ＰＵＣＣＨ）中の特定のリソースを使用して前記ＵＣＩを送信することによって前記ＵＣＩを送信するように構成され、
前記ＰＵＣＣＨ中の前記特定のリソースは、無線リソース制御（ＲＲＣ）シグナリングによって、前記サブフレーム中の前記ＰＤＳＣＨグラントの位置に基づいて、または前記ＤＣＩトリガによって、設定される、
Ｃ２１に記載の装置。
［Ｃ２６］
ワイヤレス通信のための装置であって、
メモリと、
前記メモリに結合された少なくとも１つのプロセッサと、を備え、前記少なくとも１つのプロセッサは、
ダウンリンク制御情報（ＤＣＩ）トリガを含むように１つまたは複数のサブフレームを設定することと、
前記１つまたは複数のサブフレーム中で前記ＤＣＩトリガを送信することと、
後続のサブフレーム中でアップリンク制御情報（ＵＣＩ）を受信することと、
を行うように構成される、
装置。
［Ｃ２７］
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＵＳＣＨグラントの位置に基づいて、または前記ＤＣＩトリガによって、設定される、
Ｃ２６に記載の装置。
［Ｃ２８］
前記少なくとも１つのプロセッサは、アップリンク共有チャネル（ＰＵＳＣＨ）グラントにおいて前記ＤＣＩトリガを送信することによって前記ＤＣＩトリガを送信するように構成され、
前記少なくとも１つのプロセッサは、前記後続のサブフレーム中でＰＵＳＣＨにおいて前記ＵＣＩを受信することによって前記ＵＣＩを受信するように構成される、
Ｃ２６に記載の装置。
［Ｃ２９］
前記少なくとも１つのプロセッサは、物理ダウンリンク共有チャネル（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ２６に記載の装置。
［Ｃ３０］
前記少なくとも１つのプロセッサは、物理アップリンク共有チャネル（ＰＵＳＣＨ）グラントを送信するようにさらに構成され、
前記少なくとも１つのプロセッサは、物理ダウンリンク共有チャネルグラント（ＰＤＳＣＨ）グラントにおいて前記ＤＣＩトリガを送信することによって前記ＤＣＩトリガを送信するように構成され、
前記少なくとも１つのプロセッサは、前記後続のサブフレーム中で物理アップリンク制御チャネル（ＰＵＣＣＨ）中の特定のリソースにおいて前記ＵＣＩを受信することによって前記ＵＣＩを受信するように構成され、
前記ＰＵＣＣＨ中の前記特定のリソースは、無線リソース制御（ＲＲＣ）シグナリングによって、前記１つまたは複数のサブフレーム中の前記ＰＤＳＣＨグラントの位置に基づいて、または前記ＤＣＩトリガによって、設定される、
Ｃ２６に記載の装置。
【外国語明細書】
2019146182000001.pdf